(57)【要約】【課題】容易かつ正確に所定の設置角度に合わせて設置することが可能であって設置後の角度の確認および再調整も容易に行うことが可能な遊技機を提供すること。【解決手段】演出装置（ウキ動作ユニット６３６）において、液槽６３７により外部から視認可能に保持された演出基材（上層液６３８Ｃ、下層液６３８Ｂ）を備えるとともに、演出基材の少なくとも一部（境界面６３８Ｍ）を水平方向または垂直方向の指標とする傾斜度確認機構を設ける。【選択図】      図２２
2010284419.tif 000002
【特許請求の範囲】
【請求項１】
外部から視認し得る位置に、遊技に関連する演出を行う演出装置が設けられ、
前記演出装置が、外部から視認可能に保持された演出基材を備えるとともに、該演出基材の少なくとも一部を水平方向または垂直方向の指標とする傾斜度確認機構を備えることを特徴とする遊技機。
【発明の詳細な説明】
【技術分野】
【０００１】
本発明は、パチンコ機に代表される遊技機に関するものである。
【背景技術】
【０００２】
遊技機の一つであるパチンコ機は、前面に多数の釘が植設されるとともに各種の役物が配設された遊技盤を備えるものが一般的である。このような遊技機においては、遊技盤上での釘の配置間隔や傾斜度、役物の形状、寸法等が遊技球の挙動に大きく影響するが、これだけでなく、遊技盤自体の傾斜度がわずかでも異なると遊技機の入賞率に大きな差が出るので、この遊技盤の傾斜度が重要なものとなっている。
【先行技術文献】
【特許文献】
【０００３】
【特許文献１】特開平１１−１２８５０９号公報
【発明の概要】
【発明が解決しようとする課題】
【０００４】
このため、遊技機をホール等に設置する際には、遊技機を所定の設置角度に正確に合わせて設置することが必要であるが、従来は、熟練作業者が水準器等の器具を用いるなどして角度を精密に合わせながら遊技機を設置するようにしており、作業がやや煩瑣で手間を要するものとなっていた。また、一旦遊技機を所定の設置角度に合わせた後に、何らかの原因により衝撃が加えられるなどして遊技機の角度が所定の設置角度からずれることがあるが、わずかなズレが生じても外部からは認識することが困難であって、逐次設置角度を確認してこれを適正に管理するのも煩瑣であり、またズレを生じていることが認められた場合には再び設置角度を合わせ直す必要があって特に作業が面倒なものとなっていた。
【０００５】
また、遊技機の枠の傾斜を所定角度に測定して設置したとしても、遊技機を作製する上で生じる部品毎のバラツキや、遊技機を組付ける作業で生じるバラツキにより、遊技球が流下する遊技盤自体の傾斜にはバラツキが生じることがあるため、遊技盤の前面の傾斜が必ずしも所定角度に合致しているか否かはわからないという問題があった。
【０００６】
例えば、特許文献１に記載の遊技機では、外枠または下皿の所定位置に水準器を取り付け、これにより遊技機の傾斜を調整し得るように構成されているが、この構成によっては、遊技機の枠の傾斜は調整し得ても、遊技盤自体の傾斜までは正確に調整されるとは限らず、そればかりか、枠の傾斜のほうが調整されて水準器により所定角度に合致していると表示されることによって、もし遊技盤の傾斜にバラツキによりズレが生じていたとしても、かえってこのズレが気付かれ難く、看過されたままともなりやすい。また、この構成では、遊技機に取り付けられる水準器は設置作業にのみ使用され、以降は不要なものであるから、コストの増大の要因となるという問題もある。
【０００７】
本発明は、かかる問題点に鑑みて案出されたものであり、容易かつ正確に所定の設置角度に合わせて設置することが可能であって設置後の角度の確認および再調整も容易に行うことが可能な遊技機を提供することを目的とする。
【課題を解決するための手段】
【０００８】
本発明にかかる遊技機は、上記目的を達成するために、
外部から視認し得る位置に、遊技に関連する演出を行う演出装置が設けられ、
前記演出装置が、外部から視認可能に保持された演出基材を備えるとともに、該演出基材の少なくとも一部を水平方向または垂直方向の指標とする傾斜度確認機構を備えることを特徴とする。
【０００９】
本発明において、「演出装置」には、モータ、ソレノイド等により駆動される動作機構を備えるものと備えないものとがいずれも含まれる。
【００１０】
上記本発明の構成によれば、傾斜度確認機構を備える演出装置が遊技機に設けられているので、水準器等の器具を用いる必要もなく、したがって遊技機を容易かつ正確に所定の設置角度に合わせて設置することができ、特に、遊技機の設置角度を合わせた後も、任意の時点で容易に遊技機の角度を確認することができるのであり、この角度にズレが生じていた場合にも、再び水準器等の器具を用意することもなく容易に遊技機の設置角度を合わせ直すことができる。
【００１１】
また、演出装置が傾斜度確認機構を備えるものであるため、遊技者に注目される位置、例えば後述の実施形態におけるように遊技盤の中央付近等に配置することができ、したがって遊技球の流下する領域の傾斜角度を正確に合わせることができて入賞率のバラツキを抑えることができる。
【００１２】
しかもこのとき、傾斜度確認機構が、傾斜度を確認するための部品ないし部材を別個に遊技機に配設するのではなく、演出装置における演出基材の少なくとも一部を水平方向または垂直方向の指標とすることによって構成されているので、この傾斜度確認機構自体が遊技機の部品点数を増大させることもない。
【００１３】
換言すれば、演出装置が、演出効果を奏する演出装置としての本来の機能のみならず、遊技機を所定の設置角度に合わせるための傾斜度確認手段としての機能も併せて備えることとなっており、したがってそのぶん、演出装置とは別に傾斜度確認手段を設ける場合に比して、遊技機の部品点数が少なくて済むこととなる。
【発明の効果】
【００１４】
本発明によれば、傾斜度確認機構を備える演出装置を遊技機に設けたことにより、遊技機を容易かつ正確に所定の設置角度に合わせて設置することができ、設置後の角度も容易に確認することができるとともに、設置角度を合わせ直すことも容易である。また、傾斜度確認機構自体が遊技機の部品点数を増大させることもない。
【図面の簡単な説明】
【００１５】
【図１】パチンコ機の一例を示す正面図。
【図２】図１のパチンコ機の正面側の斜視図。
【図３】図１のパチンコ機の前面枠の斜視図。
【図４】遊技盤の一例を示す正面図。
【図５】図４の遊技盤の斜視図。
【図６】図１のパチンコ機の背面の構成を示す分解斜視図。
【図７】図４の遊技盤の背面側の斜視図。
【図８】図４の遊技盤の背面図。
【図９】パチンコ機の電気的構成の一例を示すブロック図。
【図１０】可動装置であるウキ動作ユニットの斜視図である。
【図１１】図１０のＡ−Ａ線部断面図である。
【図１２】第１回動部材の要部斜視図である。
【図１３】ウキ動作ユニットの動作（前半）を示す概略部分正面図である。
【図１４】ウキ動作ユニットの動作（後半）を示す概略部分正面図である。
【図１５】第１回動部材の回動動作に対する第２回動部材の回動動作の様態を示すグラフ図である。
【図１６】遊動体であるウキの動きを示す模式図である。
【図１７】可動装置の別の例を示す概略部分断面図である。
【図１８】可動装置の別の例を示す概略部分正面図である。
【図１９】可動装置の別の例を示す概略部分正面図である。
【図２０】可動装置の別の例を示す概略部分正面図である。
【図２１】可動装置の別の例を示す概略部分正面図である。
【図２２】演出装置であるウキ動作ユニットの一部切欠左側面図である。
【図２３】目盛の別の例を示す概略部分左側面図である。
【図２４】目盛の別の例を示す概略一部切欠左側面図である。
【図２５】演出装置の別の例を示す（ａ）一部切欠左側面図、（ｂ）一部切欠正面図および（ｃ）平面図である。
【図２６】演出装置の別の例を示す一部切欠斜視図である。
【図２７】傾斜度確認機構の別の例を示す概略斜視図である。
【図２８】傾斜度確認機構の別の例を示す一部切欠斜視図である。
【図２９】演出装置の別の例を示す一部切欠左側面図である。
【発明を実施するための形態】
【００１６】
以下、本発明の最良の形態を、図面に基づいて詳細に説明する。ここでは、遊技機としてパチンコ遊技機（以下、単に「パチンコ機」という）を挙げる。
【００１７】
（パチンコ機正面側の構成）
図１はパチンコ機１０の正面図、図２はパチンコ機１０の斜視図、図３はパチンコ機１０の前面枠の斜視図である。図１および図２に示すように、パチンコ機１０は、当該パチンコ機１０の外殻を形成する外枠１１と、この外枠１１の一側部に開閉可能に支持された開閉部材である内枠１２とを備えている。以下に、外枠１１と内枠１２との構成を個別に説明する。
【００１８】
上記外枠１１は、木製の板材により全体として矩形状に構成され、小ネジ等の離脱可能な締結具により各板材が組み付けられている。なお、外枠１１は樹脂やアルミニウム等の軽金属により構成されていてもよい。このように構成することにより、パチンコ機の軽量化を図ることができるからである。
【００１９】
一方、上記内枠１２の開閉軸線はパチンコ機１０の正面からみてハンドル（後述する遊技球発射ハンドル１８）設置箇所の反対側（図１のパチンコ機１０の左側）で上下に延びるように設定されており、この開閉軸線を軸心にして内枠１２が前方側に十分に開放できるようになっている。このような構成とするのは、内枠１２の開閉軸線がハンドル設置箇所側（図１のパチンコ機１０の右側）で上下方向にあるとすると、内枠１２を開放する際に遊技球発射ハンドル１８の頭部等が隣なりのパチンコ機やカードユニット（球貸しユニット）に干渉することになり、内枠１２を十分に開放できないからである。また、内枠１２は合成樹脂、具体的にはＡＢＳ(アクリロニトリル−ブタジエン−スチレン）樹脂から成る。こうすることで、粘性が高く衝撃に強くでき、低コストで製造できるという利点が発揮される。
【００２０】
また、内枠１２は、その最下部に下皿ユニット１３を有し、内枠１２の左側の上下方向の開閉軸線を軸心にして開閉自在に取り付けられた前面枠セット１４と、樹脂ベース２５（図６参照）と、この樹脂ベース２５の後側に取り付けられる後述の遊技盤３０とを備えている。これらの各構成を以下に詳細に説明する。
【００２１】
上記下皿ユニット１３は、前面枠セット１４の一部として前面枠ベース部材に固定されている。この下皿ユニット１３の前面側には、下皿１５と球抜きレバー１７と遊技球発射ハンドル１８と演出ボタン７９が設けられている。球受皿としての下皿１５は、下皿ユニット１３のほぼ中央部に設けられており、後述の上皿が満タンになった場合等に排出口１６より排出される遊技球を停留する役割がある。上記球抜きレバー１７は、下皿１５内の遊技球を抜くためのものであり、この球抜きレバー１７を図１で左側に移動させることにより、下皿１５の底面の所定箇所が開口され、下皿１５内に停留された遊技球を下皿１５の底面の開口部分を通して遊技者の持球貯留箱（ドル箱）に排出することができる。上記遊技球発射ハンドル１８は、下皿１５よりも右方で手前側に突出するように配設されている。遊技者による遊技球発射ハンドル１８の操作に応じて、発射ソレノイドを備えた遊技球発射装置によって遊技球が後述する遊技盤３０の方へ打ち込まれるようになっている。前面枠セット１４の上部には、スピーカからの音を出力するための音出力口２４が設けられている。
【００２２】
一方、前面枠セット１４の下部（上述の下皿１５の上方位置）には、遊技球の受皿としての上皿１９が前面枠セット１４と一体的に設けられている。この上皿１９は、遊技球を一旦貯留し、一列に整列させながら遊技球発射装置３８の方へ導出するための球受皿である。また、上皿１９の左下方には、装飾図柄表示装置４２の背景を変える等の操作を遊技者が行なうための演出ボタン７９が設けられている。
【００２３】
加えて、前面枠セット１４にはその周囲（例えばコーナー部分）に各種ランプ等の発光手段が設けられている。これら発光手段は、大当たり遊技状態時等における遊技状態の変化に応じて点灯、点滅のように発光態様が変更制御され遊技中の演出効果を高める役割を果たすものである。例えば、窓部１０１の周縁には、ＬＥＤ等の発光手段を内蔵した環状電飾部１０２が左右対称に設けられ、大当たり遊技状態時に点灯や点滅を行うことにより、大当たり遊技状態中であることを報知する構成である。
【００２４】
また、窓部１０１の下方には貸球操作部１２０が配設されており、貸球操作部１２０には球貸しボタンと、返却ボタンと、度数表示部とが設けられている。パチンコ機１０の側方に配置された図示しないカードユニット（球貸しユニット）に紙幣やカード等を投入した状態で貸球操作部１２０が操作されると、その操作に応じて遊技球の貸出が行われる。球貸しボタンは、カード等（記録媒体）に記録された情報に基づいて貸出球を得るために操作されるものであり、カード等に残額が存在する限りにおいて貸出球が上皿１９に供給される。返却ボタンは、カードユニットに挿入されたカード等の返却を求める際に操作される。度数表示部はカード等の残額情報を表示するものである。なお、カードユニットを介さずに球貸し装置部から上皿に遊技球が直接貸し出されるパチンコ機、いわゆる現金機では貸球操作部１２０が不要となる。故に、貸球操作部１２０の設置部分に、飾りシール等が付されるようになっている。これにより、カードユニットを用いたパチンコ機と現金機との貸球操作部の共通化が図れる。
【００２５】
次に、図４および図５を用いて遊技盤３０の構成を説明する。図４は遊技盤３０の構成を示す正面図、図５は遊技盤３０の構成を示す斜視図である。遊技盤３０は、一般入賞口を備える一般入賞装置３１、可変入賞装置３２、上始動口３３ａと下始動口３３ｂ（作動チャッカ３３ｂで構成）とから成る第１の始動入賞装置３３、第２の始動口を備える第２の始動入賞装置３４（スルーゲートで構成）、特別図柄表示装置３７１Ａ、普通図柄表示装置３７１Ｂ、装飾図柄表示装置４２を備える可変表示装置ユニット３５等が設けられている。これらの一般入賞装置３１、可変入賞装置３２、第１の始動入賞装置３３、第２の始動入賞装置３４、可変表示装置ユニット３５等は、遊技盤３０における、ルータ加工によって形成された各貫通穴にそれぞれに配設され、遊技盤３０前面側から木ネジ等により取り付けられている。また、下始動口３３ｂの入口には、一対の開閉羽根６０が設けられており、遊技球を案内する開放位置と、下始動口３３ｂ内に遊技球が入りにくくなる閉塞位置を採りうる。開閉羽根６０は、遊技盤３０の裏面側に配設されたソレノイドＳＬ１によって駆動される。また、下始動口３３ｂの下方には、大入賞口（収容部の入口）６１が配置されている。大入賞口６１については、後に言及する。大入賞口６１内には、入球検出スイッチＳＷ１が設けられている。
【００２６】
前述の一般入賞装置３１、可変入賞装置３２および第１の始動入賞装置３３に遊技球が入球し、当該入球が後述する検出スイッチ（入賞口スイッチ、カウントスイッチ、作動口スイッチ等）で検出され、この検出スイッチの出力に基づいて、上皿１９（または下皿１５）へ所定数の賞品球が払い出される。その他に、遊技盤３０にはアウト口３６が設けられており、各種入賞装置等に入球しなかった遊技球はこのアウト口３６を通って図示しない球排出路の方へと案内されるようになっている。遊技盤３０には、遊技球の落下方向を適宜分散、調整等するために多数の釘が植設されているとともに、各種部材（役物）が配設されている。
【００２７】
上記特別図柄表示装置は、第１の始動入賞装置３３への入賞をトリガとして識別情報としての特別図柄を変動表示し、上記装飾図柄表示装置４２は特別図柄の変動表示に対応した装飾図柄を変動表示し、上記普通図柄表示装置は第２の始動入賞装置３４の通過をトリガとして普通図柄を変動表示する。
【００２８】
上記特別図柄表示装置は、後にも言及する表示装置３７１Ａにおける第１表示部の９個のＬＥＤセグメントで構成されており、後述する主制御装置２６１により表示内容が制御される。
【００２９】
上記装飾図柄表示装置４２は液晶表示装置として構成されており、後述する表示制御装置により表示内容が制御される。装飾図柄表示装置４２には、例えば上、中、及び下の３箇所に識別情報としての図柄が表示される。これら図柄がスクロールされて装飾図柄表示装置４２に可変表示されるようになっている。なお本形態では、装飾図柄表示装置４２（液晶表示装置）は例えば１０インチ或いは１２インチサイズの大型の液晶ディスプレイを備えている。
【００３０】
上記普通図柄表示装置は、後述する表示装置３７１Ｂ内に配置された普通図柄用の２個のランプ（以下、第１ランプおよび第２ランプとも称す）を備えている。この実施例では、普通図柄用の第１ランプは、その外観形状は「○」形状となっている一方、第２ランプは、第１ランプの右側に隣接して設けられ、その外観形状は「×」形状となっている。普通図柄表示装置は、遊技球が第２の始動入賞装置３４を通過する毎に例えば第１および第２ランプによる表示図柄（普通図柄）が変動し、具体的には、第１および第２ランプが交互に光り、第１ランプで停止した場合に第１の始動入賞装置３３の下始動口３３ｂが所定時間だけ作動状態となる（開放される）よう構成されている。遊技球が第２の始動入賞装置３４を通過した回数は最大４回まで保留され、その保留回数が保留ランプ８０１ａにて点灯表示されるようになっている。なお、第１および第２ランプは、装飾図柄表示装置４２の一部で変動表示される複数個の表示部としても良い。
【００３１】
上記可変入賞装置３２は、通常は遊技球が入賞できない又は入賞し難い閉状態になっており、大当たりの際に遊技球が入賞しやすい開状態と通常の閉状態とに繰り返し作動されるようになっているが、その具体的な構成については後述する。簡略に触れれば、特別図柄表示装置が特定の表示態様となった場合（装飾図柄表示装置４２の停止後の確定図柄が予め設定した特定の図柄の組み合せとなった場合）に特別遊技状態が発生する。そして、可変入賞装置３２が受球状態となり、遊技球の入賞を許す。具体的には、所定時間（例えば３０秒）の経過又は所定個数（例えば１０個）の入賞を１ラウンドとして、可変入賞装置３２の受球状態が所定回数繰り返し開放される。遊技球が第１の始動入賞装置３３を通過した回数は最大４回まで保留され、その保留回数が保留ランプ８００ａにて点灯表示されるようになっている。なお、保留ランプ８００ａは、装飾図柄表示装置４２の一部で変動表示される構成等であっても良い。
【００３２】
また、遊技盤３０には、遊技球発射装置から発射された遊技球を遊技盤３０上部へ案内するためのレールユニット５０が取り付けられており、遊技球発射ハンドル１８の回動操作に伴い発射された遊技球はレールユニット５０を通じて所定の遊技領域に案内されるようになっている。レールユニット５０はリング状をなす金属板にて構成されており、内外二重に一体形成された内レール５１と外レール５２とを有する。内レール５１および外レール５２の後側端縁（遊技盤３０に対向する端縁）には、所定間隔をおいて複数個所に鋲５６が設けられており、内レール５１および外レール５２は該鋲５６を打ちつけるようにして遊技盤３０に取り付けられている。内レール５１は上方の約１／４ほどを除いて略円環状に形成され、一部（主に左側部）が内レール５１に向かい合うようにして外レール５２が形成されている。かかる場合、内レール５１と外レール５２とにより誘導レールが構成され、これら各レール５１、５２が所定間隔を隔てて並行する部分（向かって左側の部分）により球案内通路が形成されている。なお、球案内通路は、遊技盤３０との当接面を有した溝状、すなわち手前側を開放した溝状に形成されている。
【００３３】
内レール５１の先端部分（図４の左上部）には戻り球防止部材５３が取着されている。これにより、一旦、内レール５１および外レール５２間の球案内通路から遊技盤３０の上部へと案内された遊技球が再度球案内通路内に戻ってしまうといった事態が防止されるようになっている。
【００３４】
尚、遊技領域は、レールユニット５０の内周部（内外レール）により略円形状に区画形成されており、特に本形態では、遊技盤３０の盤面上に区画される遊技領城が従来よりもはるかに大きく構成されている。
【００３５】
（パチンコ機の背面構成）
次に、パチンコ機１０の背面の構成を説明する。図６はパチンコ機１０の背面の構成を示す分解斜視図である。
【００３６】
先ず、パチンコ機１０の背面構成について全体の概要を説明する。パチンコ機１０にはその背面（実際には内枠１２および遊技盤３０の背面）において、各種制御基板が上下左右に並べられるようにしてまたは前後に重ねられるようにして配置されており、さらに、遊技球を供給するための遊技球供給装置（払出機構）や樹脂製の保護カバー等が取り付けられている。本形態では、各種制御基板を３つの取付台に分けて搭載して３つの制御基板ユニットを構成し、それら制御基板ユニットを個別に内枠１２または遊技盤３０の裏面に装着するようにしている。この場合、主制御基板、電源監視基板、これら基板を収容する基板ボックスおよび該基板ボックスを封印する封印ユニットから構成される主制御装置２６１を一つにユニット化し、表示制御基板、該表示制御基板を収容する基板ボックスおよび装飾図柄表示装置４２から構成される表示制御装置４５とサブ制御基板および該サブ制御基板を収容する基板ボックスから構成されるサブ制御装置２６２とを後述する外包部材８２に搭載してユニット化し、さらに払出制御基板、該払出制御基板を収容する基板ボックス（払出制御基板ケース）および該基板ボックスを封印する封印ユニットから構成される払出制御装置３１１と電源基板、発射制御基板およびこれら基板を収容する基板ボックス（電源・発射制御基板ケース２０３Ａ）から構成される電源・発射制御装置とを１つの取付台に搭載してユニット化している。ここでは便宜上、各ユニットを上記の順に「第１制御基板ユニット２０１」、「第２制御基板ユニット２０２」および「第３制御基板ユニット２０３」と称することとする。
【００３７】
また、払出機構および保護カバーも上記第３制御基板ユニット２０３に一体化されており、一般に樹脂部分を裏パックと称することもあるため、ここでは第３制御基板ユニット２０３を「裏パックユニット２０３」とも称する。各ユニット２０１〜２０３の詳細な構成については後述する。
【００３８】
第１制御基板ユニット２０１、第２制御基板ユニット２０２および裏パックユニット２０３は、ユニット単位で何ら工具等を用いずに着脱できるよう構成されており、更に、これに加え、一部に支軸部を設けて内枠１２または遊技盤３０の裏面に対して開閉できる構成となっている。これは、各ユニット２０１〜２０３やその他構成が前後に重ねて配置されても、隠れた構成等を容易に確認することを可能とするための工夫でもある。
【００３９】
上述した第１制御基板ユニット２０１は、その遊技の進行を統括する主制御基板及び電源の監視を司る電源監視基板を有する。上記主制御基板と電源監視基板とは透明樹脂材料等よりなる基板ボックスに収容されて構成されている。この基板ボックスは、略直方体形状のボックスベースと該ボックスベースの開口部を覆うボックスカバーとを備えており、これらボックスベースとボックスカバーとは封印ユニットによって開封不能に連結されることにより、基板ボックスが封印される。
【００４０】
尚、封印ユニットはボックスベースとボックスカバーとを開封不能に連結する構成であれば任意の構成が適用でき、また、封印ユニットによる封印処理は、その封印後の不正な開封を防止し、また万一不正開封が行われてもそのような事態を早期にかつ容易に発見可能とするものである。
【００４１】
第２制御基板ユニット２０２は、主制御基板からの指示に従い前記装飾図柄表示装置４２の表示制御を司る表示制御装置４５と主制御基板からの指示に従い音声ランプ制御を司るサブ制御基板とを有する。上記表示制御装置４５は、装飾図柄表示装置４２および表示制御基板がユニットとして構成され、透明樹脂材料等よりなる基板ボックスに収容されて後述する外包部材８２の背面側に取り付けられている。上記サブ制御基板は透明樹脂材料等よりなる基板ボックスに収容され、上記表示制御装置４５の背面側に取り付けられている。
【００４２】
次に、前記第３制御基板ユニット（裏パックユニット）２０３は、払出制御基板、電源基板、発射制御基板及びカードユニット接続基板を有している。上記払出制御基板により賞品球や貸出球の払出が制御され、上記電源基板および発射制御基板により各種制御装置等で要する所定の電源電圧が生成され出力されるとともに遊技者による遊技球発射ハンドル１８の操作に従い発射ソレノイドの制御が行われる。また、上記カードユニット接続基板は、パチンコ機前面の貸球操作部１２０（図１参照）および図示しないカードユニットに電気的に接続され、遊技者による球貸し操作の指令を取り込んでそれを払出制御基板に出力するものである。なお、カードユニットを介さずに球貸し装置等から上皿に遊技球が直接貸し出される現金機では、カードユニット接続基板は不要である。
【００４３】
上記払出制御基板は、透明樹脂材料等よりなる払出制御基板ケース（図示せず）内に収納されており、上記電源基板および発射制御基板は、透明樹脂材料等よりなる電源・発射制御基板ケース２０３Ａ内に収納されている。また、上記カードユニット接続基板は透明樹脂材料等よりなるカードユニット接続基板ケース（図示せず）内に収納されている。特に、払出制御基板では、前述した主制御基板と同様、基板ケース（被包手段）を構成するボックスベースとボックスカバーとが封印ユニット（封印手段）によって開封不能に連結されることにより、基板ボックスが封印される。
【００４４】
上記払出制御基板は状態復帰スイッチと電気的に接続されており、例えば、払出モータ部の球詰まり等、払出エラーの発生時において状態復帰スイッチが押下されると、払出モータがゆっくりと正回転され、球詰まりの解消（正常状態への復帰）が図られるようになっている。
【００４５】
裏パックユニット２０３は、樹脂成形された裏パック３５１と遊技球の払出機構部３５２とを一体化したものである。
【００４６】
裏パック３５１は例えばＡＢＳ樹脂により成型されており、略平坦状のベース部３５３と、パチンコ機後方に突出し横長の略直方体形状をなす保護カバー部３５４とを有する。保護カバー部３５４は左右側面および上面が閉鎖されかつ下面のみが開放された形状をなし、少なくとも電動役物ユニット（センター役物）を囲むのに十分な大きさを有する（但し本形態では、前述のサブ制御基板も合わせて囲む構成となっている）。保護カバー部３５４の背面には多数の通気孔が設けられている。この通気孔は各々が長孔状をなし、それぞれの通気孔が比較的近い位置で隣り合うよう設けられている。従って、隣り合う通気孔間にある樹脂部分を切断することにより、裏パック３５１の背面を容易に開口させることができる。つまり、通気孔間の樹脂部分を切断してその内部の表示制御装置等を露出させることで、所定の検定等を容易に実施することができる。
【００４７】
また、ベース部３５３には、保護カバー部３５４を迂回するようにして払出機構部３５２が配設されている。すなわち、裏パック３５１の最上部には上方に開口したタンク３５５が設けられており、このタンク３５５には遊技ホールの島設備から供給される遊技球が逐次補給される。タンク３５５の下方には、例えば横方向２列（２条）の球通路を有し下流側に向けて緩やかに傾斜するタンクレール３５６が連結され、さらにタンクレール３５６の下流側には縦向きにケースレール３５７が連結されている。払出装置３５８はケースレール３５７の最下流部に設けられ、払出モータ等の所定の電気的構成により必要個数の遊技球の払出が適宜行われる。そして、払出装置３５８より払い出された遊技球は図示しない払出通路等を通じて前記上皿１９に供給される。
【００４８】
タンクレール３５６と、当該タンクレール３５６に振動を付加するためのバイブレータ３５９とが一体化するようにユニット化されており、仮にタンクレール３５６付近で球詰まりが生じた際、バイブレータ３５９が駆動されることで球詰まりが解消されるようになっている。
【００４９】
上記払出機構部３５２には、前記払出制御基板から払出装置３５８への払出指令の信号を中継する払出中継基板３８１が設置されると共に、外部より主電源を取り込むための電源スイッチ基板３８２が設置されている。電源スイッチ基板３８２には、電圧変換器を介して例えば交流２４Ｖの主電源が供給され、電源スイッチの切替操作により電源ＯＮまたは電源ＯＦＦとされるようになっている。
【００５０】
なお、内枠１２の右上側には、内枠１２が外枠１１に対して開かれたことを検出する内枠開検出スイッチ（図示せず）が設けられており、内枠１２が開かれると、内枠開検出スイッチからホール内（パチンコ店内）用コンピュータヘ出力されるようになっている。また、上記内枠開検出スイッチの左方には、前面枠開検出スイッチ（図示せず）が設けられており、前面枠セット１４が開かれると、前面枠開検出スイッチからホール内（パチンコ店内）用コンピュータヘ出力されるようになっている。
【００５１】
（パチンコ機の電気的構成及び各種制御処理）
次に、図９を参照して、本パチンコ機１０の電気的構成について説明する。パチンコ機１０は、電源装置３１３と、電源監視装置５４０と、主制御装置２６１と、サブ制御装置２６２と、払出制御装置３１１と、表示制御装置４５等を備えている。以下に、これらの装置を個別に詳細に説明する。尚、電源監視装置５４０と主制御装置２６１とは、上記したように封印ユニットで封印されている。
【００５２】
次いで、主制御装置２６１の構成について説明する。主制御装置２６１には、演算装置である１チップマイコンとしてのＭＰＵ５０１が搭載されている。ＭＰＵ５０１には、該ＭＰＵ５０１により実行される各種の制御プログラムや固定値データを記憶したＲＯＭ５０２と、そのＲＯＭ５０２内に記憶される制御プログラムの実行に際して各種のデータ等を一時的に記憶するためのメモリであるＲＡＭ５０３と、そのほか、割込回路やタイマ回路、データ送受信回路などの各種回路が内蔵されている。
【００５３】
ＲＡＭ５０３は、パチンコ機１０の電源の遮断後においても電源装置３１３からバックアップ電圧が供給されてデータを保持（バックアップ）できる構成となっており、ＲＡＭ５０３には、各種のデータ等を一時的に記憶するためのエリアが備えられている。
【００５４】
なお、ＭＰＵ５０１のＮＭＩ端子（ノンマスカブル割込端子）には、停電等の発生による電源遮断時に、停電監視回路５４２からの停電信号ＳＧ１が入力されるように構成されており、その停電信号ＳＧ１がＭＰＵ５０１へ入力されると、停電時処理としてのＮＭＩ割込処理が即座に実行される。
【００５５】
主制御装置２６１のＭＰＵ５０１には、アドレスバス及びデータバスで構成されるバスライン５０４を介して入出力ポート５０５が接続されている。入出力ポート５０５には、電源監視装置５４０内のＲＡＭ消去スイッチ回路５４３、払出制御装置３１１、発射制御装置３１２、サブ制御装置２６２、特別図柄表示装置、普通図柄表示装置、特別図柄保留表示装置８００、普通図柄保留表示装置８０１や、その他図示しないスイッチ群などが接続されている。なお、特別図柄表示装置は上記したように９個のＬＥＤセグメントで構成されており、普通図柄表示装置は上記したように普通図柄用の第１および第２ランプで構成されており、特別図柄保留表示装置８００は上記したように特別図柄に関する保留球の個数を表示する保留ランプ８００ａで構成されており、普通図柄保留表示装置８０１は上記したように普通図柄に関する保留球の個数を表示する保留ランプ８０１ａで構成されている。
【００５６】
払出制御装置３１１は、払出モータ３５８ａにより賞球や貸し球の払出制御を行うものである。演算装置であるＭＰＵ５１１は、そのＭＰＵ５１１により実行される制御プログラムや固定値データ等を記憶したＲＯＭ５１２と、ワークメモリ等として使用されるＲＡＭ５１３とを備えている。
【００５７】
払出制御装置３１１のＲＡＭ５１３は、主制御装置２６１のＲＡＭ５０３と同様に、パチンコ機１０の電源の遮断後においても電源装置３１３からバックアップ電圧が供給されてデータを保持（バックアップ）できる構成となっており、ＲＡＭ５１３には、各種のデータ等を一時的に記憶するためのエリアが備えられている。
【００５８】
なお、主制御装置２６１のＭＰＵ５０１と同様、ＭＰＵ５１１のＮＭＩ端子にも、停電時の発生による電源遮断時に停電監視回路５４２から停電信号ＳＧ１が入力されるように構成されており、その停電信号ＳＧ１がＭＰＵ５１１へ入力されると、停電時処理としてのＮＭＩ割込処理が即座に実行される。
【００５９】
払出制御装置３１１のＭＰＵ５１１には、アドレスバス及びデータバスで構成されるバスライン５１４を介して入出力ポート５１５が接続されている。入出力ポート５１５には、主制御装置２６１、払出モータ３５８ａがそれぞれ接続されている。
【００６０】
発射制御装置３１２は、発射ソレノイドによる遊技球の発射を許可又は禁止するものであり、発射ソレノイドは、所定条件が整っている場合に駆動が許可される。具体的には、払出制御装置３１１からカードユニットとの接続状態であることを示す接続信号が出力されていること、遊技者が遊技球発射ハンドル１８に触れていることをセンサ信号により検出していること、発射を停止させるための発射停止スイッチが操作されていないことを条件に、発射制御装置３１２は発射許可信号を主制御装置２６１に出力する。発射許可信号を入力した主制御装置２６１は、発射ソレノイド制御信号を発射制御装置３１２に出力する。これにより発射制御装置３１２は発射ソレノイド制御信号に応じて発射ソレノイドを駆動し、その結果、遊技球発射ハンドルの操作量に応じた強さで遊技球が発射される。
【００６１】
サブ制御装置２６２は、主制御装置２６１からのコマンドに基づいて装飾図柄の変動表示に応じた演出用スピーカ８１０等の鳴動制御及び演出用ランプ８１１の点灯（点滅）制御、並びに、主制御装置２６１からのコマンドに基づいて表示制御装置４５へのコマンドを編集して表示制御装置４５に送信する機能を果たすものである。サブ制御装置２６２のＭＰＵ５５０には、そのＭＰＵ５５０により実行される制御プログラムや固定値データ等を記憶したＲＯＭ５５１と、ワークメモリ等として使用されるＲＡＭ５５２とを備えている。ＭＰＵ５５０には、アドレスバス及びデータバスで構成されるバスライン５５３を介して入出力ポート５５４が接続されている。入出力ポート５５４には、スピーカ、ランプ、演出ボタン７９、後述するウキ６１０を動作させるためのモータ９１、装飾図柄表示装置４２における変動表示中において所定の表示演出を実行させるための演出用ボタン７９、及び主制御装置２６１がそれぞれ接続されている。演出用ボタン７９としては、例えば所定のキャラクタが順次出現する態様によって大当たり状態の可能性が大きいことを予告するステップアップ予告等の表示演出用ボタン等が挙げられる。なお、演出用ボタン７９が押されると、所定の演出実行のための演出指定コマンドが生成されて、装飾図柄表示装置４２に送信されようになっている。
【００６２】
表示制御装置４５は、装飾図柄表示装置４２における装飾図柄の変動表示を制御するものである。表示制御装置４５は、ワークＲＡＭ等として使用されるＲＡＭ５２３を有するＭＰＵ５２１と、ＲＯＭ（プログラムＲＯＭ）５２２と、ビデオＲＡＭ５２４と、キャラクタＲＯＭ５２５と、画像コントローラ５２６と、入力ポート５２７と、出力ポート５２９とを備えている。
【００６３】
ＭＰＵ５２１は、サブ制御装置２６２から送信されてくる図柄表示コマンド（停止図柄コマンド、変動パターンコマンド、確定コマンド等）を入力ポート５２７を介して受信するとともに、受信コマンドを解析し、又は受信コマンドに基づき所定の演算処理を行って画像コントローラ５２６の制御（具体的には画像コントローラ５２６に対する内部コマンドの生成）を実施する。プログラムＲＯＭ５２２は、ＭＰＵ５２１により実行される各種の制御プログラムや固定値を記憶するためのメモリであり、背景画像用のＪＰＥＧ形式画像データも併せて記憶保持されている。ＲＡＭ５２３は、ＭＰＵ５２１による各種プログラムの実行時に使用されるワークデータやフラグ等を一時的に記憶するためのメモリである。
【００６４】
画像コントローラ５２６は、ＶＤＰ（ビデオディスプレイプロセッサ）で構成されている。ＶＤＰは、装飾図柄表示装置４２に組み込まれたＬＣＤドライバ（液晶駆動回路）を直接操作する一種の描画回路であり、ＩＣチップ化されているため、「描画チップ」とも呼ばれ、その実体は描画処理専用のソフトウェアを内蔵したマイコンチップとでも言うべきものである。画像コントローラ５２６は、ＭＰＵ５２１、ビデオＲＡＭ５２４等のそれぞれのタイミングを調整してデータの読み書きに介在するとともに、ビデオＲＡＭ５２４に記憶される表示データを、キャラクタＲＯＭ５２５から所定のタイミングで読み出して、出力ポート５２９を介して装飾図柄表示装置４２に出力して表示させる。
【００６５】
ビデオＲＡＭ５２４は、装飾図柄表示装置４２に表示される表示データを記憶するためのメモリであり、ビデオＲＡＭ５２４の内容を書き換えることにより装飾図柄表示装置４２の表示内容が変更される。キャラクタＲＯＭ５２５は装飾図柄表示装置４２に表示される図柄などのキャラクタデータを記憶するための画像データライブラリとしての役割を担うものである。このキャラクタＲＯＭ５２５には、各種の表示図柄のビットマップ形式画像データ、ビットマップ画像の各ドットでの表現色を決定する際に参照する色パレットテーブル等が保持されている。特に、ビットマップ形式の図柄画像データにはそれぞれ図柄コード（図柄番号）が付与されており、コマンドレベルでは各図柄画像を図柄コードだけで管理可能としている。なお、キャラクタＲＯＭ５２５を複数設け、各キャラクタＲＯＭ５２５に分担して画像データ等を記憶させておくことも可能である。また、プログラムＲＯＭ５２２に記憶した背景画像用のＪＰＥＧ形式画像データをキャラクタＲＯＭ５２５に記憶する構成とすることも可能である。
【００６６】
電源装置３１３は、パチンコ機１０の各部に電源を供給するための電源部５４１を備えている。この電源部５４１は、電源経路を通じて、主制御装置２６１や払出制御装置３１１等に対して各々に必要な動作電圧を供給する。その概要としては、電源部５４１は、外部より供給される交流２４ボルトの電圧を取り込み、各種スイッチやモータ等を駆動するための１２ボルトの電圧、ロジック用の５ボルトの電圧、ＲＡＭバックアップ用のバックアップ電圧などを生成し、これら１２ボルトの電圧、５ボルトの電圧及びバックアップ電圧を、電源監視装置５４０、サブ制御装置２６２、払出制御装置３１１、表示制御装置４５等に対して供給する。なお、主制御装置２６１に対しては、電源監視装置５４０を介して動作電圧（１２ボルト及び５ボルトの電圧）が供給される。また、発射制御装置３１２に対しては、主制御装置２６１を介して動作電圧（１２ボルト及び５ボルトの電圧）が供給される。
【００６７】
電源監視装置５４０は、停電等による電源遮断を監視する停電監視回路５４２と、リセット信号を出力するリセット回路５４４と、を備えている。
停電監視回路５４２は、停電等の発生による電源遮断時に、主制御装置２６１のＭＰＵ５０１及び払出制御装置３１１のＭＰＵ５１１の各ＮＭＩ端子へ停電信号ＳＧ１を出力するための回路である。停電監視回路５４２は、電源部５４１から出力される最大電圧である直流安定２４ボルトの電圧を監視し、この電圧が２２ボルト未満になった場合に停電（電源遮断）の発生と判断して、停電信号ＳＧ１を主制御装置２６１及び払出制御装置３１１へ出力する。停電信号ＳＧ１の出力によって、主制御装置２６１及び払出制御装置３１１は、停電の発生を認識し、ＮＭＩ割込処理を実行する。なお、電源部５４１は、直流安定２４ボルトの電圧が２２ボルト未満になった後においても、ＮＭＩ割込処理の実行に充分な時間の間、制御系の駆動電圧である５ボルトの電圧の出力を正常値に維持するように構成されている。よって、主制御装置２６１及び払出制御装置３１１は、ＮＭＩ割込処理を正常に実行し完了することができる。
【００６８】
ＲＡＭ消去スイッチ回路５４３は、ＲＡＭ消去スイッチが押下された場合に、主制御装置２６１及び払出制御装置３１１へ、バックアップデータをクリアするためのＲＡＭ消去信号ＳＧ２を出力する回路である。なお、払出制御装置３１１への信号の送信は、主制御装置２６１を介して行われる。
主制御装置２６１及び払出制御装置３１１は、パチンコ機１０の電源投入時に、ＲＡＭ消去信号ＳＧ２を入力した場合に、それぞれのバックアップデータをクリアする。
【００６９】
リセット回路５４４は、主制御装置２６１、払出制御装置３１１、サブ制御装置２６２、及び表示制御装置４５を初期化するため、リセット信号を出力する回路である。なお、リセット回路５４４からのリセット信号は、主制御装置２６１に対しては直接与えられるが、払出制御装置３１１、サブ制御装置２６２、及び表示制御装置４５に対しては、電源装置３１３を介して与えられるようになっている。
【００７０】
ここで、特別図柄表示装置、普通図柄表示装置、及び装飾図柄表示装置４２の表示内容について説明する。なお、本実施形態のパチンコ機１０においては、大当たりの発生を遊技者に示すための図柄として特別図柄表示装置で表示される特別図柄と、装飾図柄表示装置４２で表示される装飾図柄との２種類が設けられている。装飾図柄は、特別図柄と同期して変動が行われる図柄であり、特別図柄の変動開始と同時に（又はほぼ同時期に）変動を開始し、また特別図柄の変動停止と同時に（またはほぼ同時期に）変動を停止するものである。この装飾図柄は、遊技者に多種多様な表示演出を行って飽きにくい遊技性を備えるために設けられている。
【００７１】
先ず、特別図柄表示装置の表示内容について説明する。特別図柄の変動表示は、９個のＬＥＤセグメントの点灯パターンの変化により表現される。この特別図柄の変動表示は遊技球の始動入賞装置３３への入賞に基づいて開始され、一定時間後に特別図柄の変動表示が同時に停止する。その停止後に、大当たりを示す点灯パターンあるいは外れを示す点灯パターンが表示され、外れの場合は、始動入賞装置３３への入賞に基づいて再度の変動表示が行われる。遊技球が始動入賞装置３３に入賞した回数は最大４回まで保留され、その保留回数が特別図柄保留表示装置８００の保留ランプ８００ａにて点灯表示されるようになっている。
【００７２】
次いで、装飾図柄表示装置４２の表示内容について説明する。装飾図柄表示装置４２の表示画面には、例えば、上段・中段・下段に区分けされた３つの表示領域に３つの装飾図柄列Ｚ１〜Ｚ３が表示される。これら装飾図柄列Ｚ１〜Ｚ３は、右から左にスクロール表示される。装飾図柄は、例えば「１」〜「９」の数字からなる主図柄と、主図柄より小さい副図柄とにより構成され、これら各主図柄および副図柄によって装飾図柄の図柄列が形成される。装飾図柄で形成される各図柄列では、数字の昇順又は降順に主図柄が配列されると共に各主図柄の間にそれぞれ副図柄が配列されている。始動入賞装置３３への入賞すなわち始動入賞が発生すると、装飾図柄の変動表示が行われ、変動パターンに応じた一定時間の経過後に変動表示が停止し、装飾図柄表示装置４２には縦３×横３の９個の装飾図柄が表示結果として表示される。大当たり抽選に当選した変動表示においては、９個の装飾図柄のうち垂直あるいは斜めの一直線上に同一の主図柄が３つ揃って停止するように表示制御装置４５により制御が行われ、遊技者に大当たりの発生が示される。一方、大当たり抽選に外れた変動表示においては、９個の装飾図柄のうち垂直あるいは斜めのいずれにも同一の主図柄が３つ揃って停止しないように表示制御装置４５により制御が行われ、遊技者に外れの発生が示される。
【００７３】
次いで、普通図柄表示装置の表示内容について説明する。普通図柄の変動表示は、第１ランプ（外観が○形状）と、第２ランプ（外観が×形状）とが交互に点灯することにより表現される。この普通図柄の変動表示は遊技球が第２の始動入賞装置３４を通過することを条件として開始され、一定時間後に普通図柄の変動表示が停止する。そして、第１ランプで停止した場合に第１の始動入賞装置３３が所定時間だけ作動状態となる（開放される）よう構成されている。遊技球が第２の始動入賞装置３４を通過した回数は最大４回まで保留され、その保留回数が普通図柄保留表示装置８０１の保留ランプ８０１ａにて点灯表示されるようになっている。
【００７４】
次に、上記の如く構成されたパチンコ機１０の動作について説明する。本形態では、主制御装置２６１内のＭＰＵ５０１は、遊技に際し各種カウンタ情報を用いて、大当たり抽選や特別図柄表示装置の図柄表示の設定などを行うこととしている。具体的には、特別図柄に関連するカウンタ群と、普通図柄に関連するカウンタ群とを備えている。先ず、特別図柄に関連するカウンタ群について説明する。特別図柄に関連するカウンタ群としては、大当たりの抽選に使用する大当たり乱数カウンタＣ１と、特別図柄表示装置の大当たり図柄の選択に使用する大当たり図柄カウンタＣ２と、特別図柄表示装置が外れ変動する際の停止パターンの選択（装飾図柄の変動においてはリーチとするか完全外れとするかのリーチ抽選に相当する）に使用する停止パターン選択カウンタＣ３と、大当たり乱数カウンタＣ１の初期値設定に使用する初期値乱数カウンタＣＩＮＩ１と、変動パターン選択に使用する種別を決定する変動種別カウンタＣＳ１〜ＣＳ３とを備えている。
【００７５】
ここで、変動パターンとは、変動表示の特徴が共通するものを区分した場合における各パターン（形態）を意味している。
【００７６】
上記カウンタＣ１〜Ｃ３，ＣＩＮＩ１，ＣＳ１〜ＣＳ３、は、その更新の都度前回値に１が加算され、最大値に達した後０に戻るループカウンタとなっている。各カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７００が設けられており、これらの各エリアには、始動入賞装置３３への遊技球の入賞タイミングに合わせて、大当たり乱数カウンタＣ１、大当たり図柄カウンタＣ２及び停止パターン選択カウンタＣ３の各値がそれぞれ格納される。
【００７７】
次いで、各カウンタの具体的な内容について詳述する。
大当たり乱数カウンタＣ１は、例えば０〜７３８の範囲内で順に１ずつ加算され、最大値（つまり７３８）に達した後０に戻る構成となっている。特に大当たり乱数カウンタＣ１が１周した場合、その時点の乱数初期値カウンタＣＩＮＩ１の値が当該大当たり乱数カウンタＣ１の初期値として読み込まれる。なお、乱数初期値カウンタＣＩＮＩ１は、大当たり乱数カウンタＣ１と同一範囲で更新されるループカウンタとして構成され（値＝０〜７３８）、タイマ割込毎に１回更新されると共に通常処理の残余時間内で繰り返し更新される。大当たり乱数カウンタＣ１は定期的に（本形態ではタイマ割込毎に１回）更新され、遊技球が始動入賞装置３３に入賞したタイミングでＲＡＭ５０３の保留球格納エリア７００に格納される。大当たりとなる乱数の値の数は、低確率時と高確率時とで２種類設定されており、低確率時に大当たりとなる乱数の値の数は２で、その値は「３７３，７２７」であり、高確率時に大当たりとなる乱数の値の数は１４で、その値は「５９，１０９，１６３，２１１，２６３，３１７，３６７，４２１，４７９，５２３，５７７，６３１，６８３，７３３」である。なお、高確率時とは、特別図柄の組み合せが予め定められた確率変動図柄である特定図柄の組み合せによって大当たりになり付加価値としてその後の大当たり確率がアップした状態、いわゆる確変の時をいい、通常時（低確率時）とはそのような確変状態でない場合をいう。
【００７８】
大当たり図柄カウンタＣ２は、大当たりの際、特別図柄表示装置における特別図柄の変動停止時の図柄を決定するものであり、例えば０〜４の範囲内で順に１ずつ加算され、最大値（つまり４）に達した後０に戻る構成となっている。例えば、大当たり図柄カウンタＣ２の値が「０」、「１」の場合の停止図柄は、９個のＬＥＤセグメントが特定の点灯パターンで停止し、この場合の停止図柄の組み合せは非特定図柄（通常の大当たり図柄）を意味する。
【００７９】
大当たり図柄カウンタＣ２の値が「２」、「３」、「４」の場合の停止図柄は、９個のＬＥＤセグメントが上記とは別の特定の点灯パターンで停止し、この場合の停止図柄の組み合せは特定図柄（確率変動図柄）を意味する。
【００８０】
大当たり図柄カウンタＣ２は定期的に（本形態ではタイマ割込毎に１回）更新され、遊技球が始動入賞装置３３に入賞したタイミングでＲＡＭ５０３の保留球格納エリア７００に格納される。
【００８１】
停止パターン選択カウンタＣ３は、例えば０〜２３８の範囲内で順に１ずつ加算され、最大値（つまり２３８）に達した後０に戻る構成となっている。本形態では、特別図柄の変動表示は、９つのＬＥＤセグメントで表現するように構成されているので、特別図柄の場合にはリーチという概念はなく、リーチに相当する停止パターンを停止パターン選択カウンタＣ３によって、決定することとしている。一方、装飾図柄の場合は、３つの装飾図柄が停止するので、リーチが存在する。従って、装飾図柄の場合は、リーチ抽選を、停止パターン選択カウンタＣ３によって決定している。即ち、装飾図柄の場合では、リーチ発生した後に最終停止図柄がリーチ図柄の前後に１つだけずれて停止する「前後外れリーチ」と、同じくリーチ発生した後最終停止図柄がリーチ図柄の前後以外で停止する「前後外れ以外リーチ」と、リーチ発生しない「完全外れ」とを抽選することとしている。例えば、停止パターン選択カウンタＣ３＝０〜２０１が完全外れに該当し、停止パターン選択カウンタＣ３＝２０２〜２０８が前後外れリーチに該当し、停止パターン選択カウンタＣ３＝２０９〜２３８が前後外れ以外リーチに該当する。
【００８２】
ここで、リーチとは、装飾図柄表示装置４２の表示画面に表示される装飾図柄が変動表示を開始した後、先に停留する図柄の組み合せが同一図柄（複数の有効ラインがある装飾図柄においてはいずれかの有効ライン上で同一図柄）であって大当たりの条件を満たしており、変動表示が続いている図柄の表示結果如何によっては大当たりとなることを遊技者に示唆して大当たりの図柄の組み合せを遊技者に期待させる表示であり、興趣演出の１種である。興趣演出とは、変動表示の途中で装飾図柄表示装置４２の表示画面にリーチに代表される所定の図柄を現出させたり、スピーカから特定の音声を出力したり、或いは、振動用のモータによって遊技球発射ハンドル１８を振動させる等、通常とは異なる態様を変動表示に伴わせて変動表示後の表示結果が大当たりとなることを遊技者に期待させる演出である。
【００８３】
なお、停止パターン選択カウンタＣ３は定期的に（本形態ではタイマ割込毎に１回）更新され、遊技球が始動入賞装置３３に入賞したタイミングでＲＡＭ５０３の保留球格納エリア７００に格納される。
【００８４】
変動種別カウンタＣＳ１は、例えば０〜１９８の範囲内で順に１ずつ加算され、最大値（つまり１９８）に達した後０に戻る構成となっている。変動種別カウンタＣＳ２は、例えば０〜２４０の範囲内で順に１ずつ加算され、最大値（つまり２４０）に達した後０に戻る構成となっている。変動種別カウンタＣＳ３は、例えば０〜１６２の範囲内で順に１ずつ加算され、最大値（つまり１６２）に達した後０に戻る構成となっている。
変動種別カウンタＣＳ１によって、ノーマルリーチ、スーパーリーチ、プレミアムリーチ等のリーチの種別のような大まかな図柄変動態様が決定され、変動種別カウンタＣＳ２によって、例えばノーマルリーチＡ、ノーマルリーチＢ等のようにさらに細かな図柄変動態様が決定され、変動種別カウンタＣＳ２によって、例えばすべり停止変動の場合の変動時間の加減算が決定される。従って、これらの変動種別カウンタＣＳ１〜ＣＳ３を組み合わせることで、変動パターンの多種多様性を容易に実現できる。また、カウンタＣＳ１〜ＣＳ３および大当たり乱数カウンタＣ１の値に基づいて、後述するウキ６１０を動かすか否かの決定ならびに該ウキ６１０をどのように動かすか（例えば、スーパーリーチのときはウキ６１０を１ｃｍだけ沈下するように動かし、プレミアムリーチのときはウキ６１０を４〜５ｃｍだけ沈下するように動かすようにするといった態様等）の決定がなされる。
【００８５】
カウンタＣＳ１〜ＣＳ３は、後述する通常処理が１回実行される毎に１回更新され、当該通常処理内の残余時間内でも繰り返し更新される。そして、特別図柄表示装置による特別図柄及び装飾図柄表示装置４２による装飾図柄の変動開始時における変動パターン決定に際してカウンタＣＳ１〜ＣＳ３のバッファ値が取得される。
【００８６】
次いで、普通図柄に関連するカウンタ群について説明する。普通図柄に関連するカウンタ群としては、当たりの抽選に使用する当たり乱数カウンタＣ４と、当たり乱数カウンタＣ４の初期値設定に使用する初期値乱数カウンタＣＩＮＩ２とを備えている。
【００８７】
上記当たり乱数カウンタＣ４は、その更新の都度前回値に１が加算され、最大値に達した後０に戻るループカウンタとなっている。カウンタは短時間間隔で更新され、その更新値がＲＡＭ５０３の所定領域に設定されたカウンタ用バッファに適宜格納される。ＲＡＭ５０３には、１つの実行エリアと４つの保留エリア（保留第１〜第４エリア）とからなる保留球格納エリア７０１が設けられており、これらの各エリアには、第２の始動入賞装置３４への遊技球の通過に合わせて、当たり乱数カウンタＣ４の値が格納される。
【００８８】
次いで、上記当たり乱数カウンタＣ４，初期値乱数ＣＩＮＩ２の具体的な内容について詳述する。当たり乱数カウンタＣ４は、例えば０〜２５０の範囲内で順に１ずつ加算され、最大値（つまり２５０）に達した後０に戻る構成となっている。そして、当たり乱数カウンタＣ４が１周した場合、その時点の当たり初期値乱数カウンタＣＩＮＩ２の値が当たり乱数カウンタＣ４の初期値として読み込まれる。なお、初期値乱数カウンタＣＩＮＩ２は、当たり乱数カンタＣ４と同一範囲で更新されるループカウンタとして構成され（値＝０〜２５０）、タイマ割込毎に１回更新されると共に通常処理の残余時間内で繰り返し更新される。当たり乱数カウンタＣ４は定期的に（本形態ではタイマ割込毎に１回）更新され、遊技球が第２の始動入賞装置３４を通過したタイミングでＲＡＭ５０３の保留球格納エリア７０１に格納される。当たり乱数カウンタＣ４の当たりとなる乱数の値の数は１４９で、その値は「５〜１５３」である。
【００８９】
なお、各カウンタの大きさや範囲は一例にすぎず任意に変更できる。但し、不規則性を重視すれば、大当たり乱数カウンタＣ１、停止パターン選択カウンタＣ３、当たり乱数カウンタＣ４、変動種別カウンタＣＳ１〜ＣＳ３の大きさは何れも異なる素数とし、いかなる場合にも同期しない数値としておくのが望ましい。
【００９０】
尚、主制御装置２６１内のＭＰＵ５０１により実行される各制御処理の詳細については、ここでは詳細説明を省く。
しかし、要約すれば、上述のように、始動入賞装置３３への入賞により、主制御装置２６１において所定の確率の当否抽選がなされ、当たりに際しては、特別遊技状態に移行するのであり、これに伴って可変入賞装置３２が入賞球の受球状態となるものである。
【００９１】
（可変入賞装置と捕集部）
この実施例においては、上記の可変入賞装置３２は、次のように構成されている。
この可変入賞装置３２の基本構成は、遊技盤３０の横方向に複数の遊技球を通過させることのできる幅を持つ大入賞口６１からの入球を収容部（図示せず）に収容し、該収容部に設けた排出部から検出センサ（図示せず）に至って検出するように構成されている。
【００９２】
そして、前記遊技盤３０の遊技領域に、窓部１０１と遊技盤３０との間の流下空間を流下する遊技球を入球させる始動入賞装置３３（３３ａ及び３３ｂ：図４および図５参照）が設けられ、前記始動入賞装置３３への入球により、主制御装置２６１によって、所定の確率の当否抽選が行われ、該当たり抽選によって遊技状態が特別遊技状態に移行し、該特別遊技状態において、少なくとも１回、前記可変入賞装置３２が、非受球状態から受球状態に切り替わり、前記受球状態において、前記大入賞口６１から収容部に収容された規定数の入賞球を、前記検出センサにより検出することによって規定数の賞球を払い出すように構成してある。
【００９３】
（特徴構成）
前述の通り、パチンコ機１０においては、図４および図５に示すように、遊技盤３０の中央に装飾図柄表示装置４２が配置されているが、該装飾図柄表示装置４２の右方には、演出用の可動装置として、ウキ動作ユニット６００が配置されている。
【００９４】
ウキ動作ユニット６００は、図１０に示すように、上下にやや長い概略直方体状（四角柱状）の透明樹脂よりなる液槽６０１の内部に可動部が設けられた構成となっている。液槽６０１の内部には、互いに異なる２種類の液体６０２Ｃ、６０２Ｂがほぼ等量ずつ充填されてほぼ満たされており、一方の液体６０２Ｃは水、他方の液体６０２Ｂは水より比重が大である非水溶性液体となっていて、互いに混じり合うことなくほぼ中央で上下に分離した状態で重なっている（以下、上側の液体６０２Ｃを上層液６０２Ｃ、下側の液体６０２Ｂを下層液６０２Ｂと称す）。上層液６０２Ｃは無色透明の水となっていて、一方、下層液６０２Ｂは青色に着色されており、上層液６０２Ｃが空間を、下層液６０２Ｂが水中をそれぞれ模したものとなっている。液槽６０１の背面における上端部には注液口が穿設されていて該注液口から上層液６０２Ｃおよび下層液６０２Ｂが注入され、栓６０３により該注液口が密閉されている。上記上層液６０２Ｃおよび下層液６０２Ｂは、演出装置としてのウキ動作ユニット６００の演出基材となっている。
【００９５】
液槽６０１の底部よりやや上方の中央部には、軸挿通部６０４が形成されている。軸挿通部６０４は、図１１に示すように、液槽６０１における背面壁６０１Ｒから内側に陥入し、液槽６０１における前面壁６０１Ｆの内面に達するまで、前方へ円筒状に延びるように液槽６０１と一体的に形成されており、外径は約２２ｍｍとなっている。該軸挿通部６０４の前端面部は液槽６０１の前面壁６０１Ｆにより閉塞され、後端面部は開放されて外部空間と連通している。
【００９６】
軸挿通部６０４には、第１回動部材６０５が挿通されている。第１回動部材６０５は、図１２にも示すように、円柱状に延びる棒状の部材であり、軸挿通部６０４に背面側から挿入され、後端は駆動源であるモータ９１（図９に示す）にギアを介して連動するように連結されていて（図示せず）、軸挿通部６０４内に挿通された状態で該モータ９１の回転が伝達されて低速で回動するようになっている。例えば、スーパーリーチの場合であって、最初に成立する２つの図柄が同じ図柄で停止するリーチとなった場合に、液晶画面に魚が泳いでいる表示がされて、ウキ６１０が低速でゆっくり沈み込む動作をするようにモータ９１の回転が伝達される。
【００９７】
第１回動部材６０５の後端部には、該第１回動部材６０５を軸方向にスライド移動させるように駆動するスライド機構（図示せず）が設けられている。これにより、第１回動部材６０５が図１２中の矢印Ａ１で示すように軸方向すなわち前後方向に移動して軸挿通部６０４に出入することができ、第１回動部材６０５の前端部が軸挿通部６０４に背面側より挿入されてから液槽６０１の前面壁６０１Ｆに突き当たるまでいっぱいに入り込むまでの、任意の前後位置で保持されることができるようになっている。
【００９８】
第１回動部材６０５の前端より後方であって、軸挿通部６０４内に挿通された状態で該軸挿通部６０４の軸方向中央に位置する部位には、駆動磁力部６０６が配置されている。駆動磁力部６０６は、図１２に示すように、第１回動部材６０５の周面を両側から部分的に切り欠くようにして平面部６０５Ｐを形成し、両側の平面部６０５Ｐにそれぞれ平面視矩形状の穴を穿設して、これら穴にそれぞれ直方体形状の磁石を嵌入し固定することにより構成されている。
【００９９】
軸挿通部６０４における軸方向中央部の外周面には、図１０および図１１に示すように、第２回動部材６０７が嵌着されている。第２回動部材６０７は、内側の内周部６０７Ｃと外側の外周部６０７Ｅとの間に連絡部６０７Ｊが架設され、これら各部が一体的に形成された構成となっている。内周部６０７Ｃは、軸挿通部６０４の外径に対応する内径（即ち約２２ｍｍ）を有する円筒状体となっていて、該軸挿通部６０４の外周面に回動自在に嵌着されており、これにより、第２回動部材６０７が軸挿通部６０４に回動自在に支持されている。即ち、軸挿通部６０４が第２回動部材６０７を回動自在に支持する枢支軸となっている。内周部６０７Ｃの内周面と軸挿通部６０４の外周面とには互いに嵌合しあう嵌合機構（図示せず）が設けられており、これにより第２回動部材６０７が軸挿通部６０４の軸方向中央の位置で回動自在に保持されるようになっている。外周部６０７Ｅは、外径約３７ｍｍの円環状体であり、外周部には側面視径方向に陥入した溝部６０７Ｇが形成されている。連絡部６０７Ｊは、内周部６０７Ｃの外周面から径方向に両側にそれぞれ延出して外周部６０７Ｅの内周面に連続する概略円柱状体となっている。
【０１００】
第２回動部材６０７における両連絡部６０７Ｊの位置の内部には、図１１に示すように、内周部６０７Ｃの内周面に近接するようにして、可動磁力部６０８がそれぞれ配置されている。第２回動部材６０７は、前後に２つに分割構成されて各分割体を嵌め合わせてネジ（図示せず）で固定することにより構成されており、このとき、両分割体の間に磁石を介在させ固定することにより、可動磁力部６０８が構成されている。
【０１０１】
第２回動部材６０７の溝部６０７Ｇには糸６０９の一端が固定され、該糸６０９の他端は、図１０に示すように遊動体であるウキ６１０の下端に固定されている。該ウキ６１０は、市販のものとほぼ同様に構成されたもので、表面には塗装がなされているが、この塗料は、上層液６０２Ｃである水よりも比重が小であって水面に浮く材料よりなるものが用いられており、したがって該ウキ６１０から剥離すると上層液６０２Ｃの液面に浮遊するものとなっている。第２回動部材６０７に駆動力が加えられていない状態では、図１０に示すように、第２回動部材６０７の一方側端（正面視左側端）よりやや上寄りの位置から、ウキ６１０の浮力により糸６０９が上方にいっぱいに延び出して、上層液６０２Ｃと下層液６０２Ｂとの境界面６０２Ｍにウキ６１０が交わった状態で静止するようになっている。
【０１０２】
前記のように静止状態にあるときのウキ６１０の下端がくる高さ位置において、液槽６０１内の左右方向中央よりも、ウキ６１０が位置する一方側（正面視左側）と反対側（正面視右側）にやや寄った位置には、動作規制部として横木部６１１が配置されている。横木部６１１は、液槽６０１の背面壁６０１Ｒと前面壁６０１Ｆとの間に架設された丸棒状の部材であり、糸６０９がこの横木部６１１の位置を越えて一方側（正面視右側）に寄り過ぎないように規制して、該糸６０９がスムーズに上下方向に移動するようにその動きを整える機能を奏するものである。
【０１０３】
液槽６０１は、前後に２つに分割構成されて各分割体を接合することにより構成されており、内部に上記第２回動部材６０７、ウキ６１０等の部材を配置した後に両分割体を接合し、注液口から上層液６０２Ｃおよび下層液６０２Ｂを注入して栓６０３で該注液口を閉止するようにして組み立てられる。さらに、図１０に示すように、液槽６０１の上端部および下端部には、上部装飾板６１２Ｔおよび下部装飾板６１２Ｂがそれぞれ前方から取り付けられ、これによりウキ動作ユニット６００が構成されている。上部装飾板６１２Ｔは、液槽６０１の上端部における上層液６０２Ｃの表面（液面）や栓６０３等をすっかり覆う寸法を有する横長の板体であり、遮光性（不透明性）を有する樹脂よりなり、前面には例えば雲等を模した所定の装飾（図示せず）が施されている。下部装飾板６１２Ｂは、液槽６０１の底面から第２回動部材６０７の上端までをすっかり覆う寸法を有する横長の板体であり、遮光性（不透明性）を有する樹脂よりなり、前面には例えば水草、地面、湖底等を模した所定の装飾（図示せず）が施されている。上部装飾板６１２Ｔおよび下部装飾板６１２Ｂにより、液槽６０１の上端部および下端部に装飾性が付与されるとともに、上端部および下端部における内部の状況が前方から隠蔽されるようになっている。
【０１０４】
図１３および図１４は、ウキ動作ユニット６００の動作を示す模式図である。以下、同図に基づきウキ動作ユニット６００の動作を順次記述する。
【０１０５】
（１）図１３（ａ）に示すように、軸挿通部６０４に第１回動部材６０５が挿入されて停止した状態においては、駆動磁力部６０６と可動磁力部６０８とが吸引力（磁力）Ｆ１によって吸引し合うことにより、これらが最短距離を含む一定範囲内の位置にくるように第２回動部材６０７が回動したところで該第２回動部材６０７が停止して保持される。このとき、駆動磁力部６０６と可動磁力部６０８とが最短距離で近接する位置にある場合には、該駆動磁力部６０６と可動磁力部６０８との間には、これらを最短距離で結ぶ直線上にある単一方向の吸引力（磁力）Ｆ１のみが働いて、これにより第２回動部材６０７が当該位置に保持されている。
なお、図上では、明確化のため、吸引力（磁力）Ｆ１を、駆動磁力部６０６の中心と可動磁力部６０８の中心とを結ぶ直線上にある矢印として示している。
【０１０６】
（２）図１３（ｂ）に示すように、第１回動部材６０５を図中の矢印Ａ２に示すように正面視反時計回り方向に回動させると、これにともなって駆動磁力部６０６が第１回動部材６０５の周方向に沿って反時計回り方向に移動する。このとき、駆動磁力部６０６が可動磁力部６０８に対し反時計回り方向にずれるように移動することで、該駆動磁力部６０６と可動磁力部６０８との間に働く吸引力（磁力）Ｆ１は、第１回動部材６０５の径方向に対し傾斜するので、該吸引力（磁力）Ｆ１には径方向の成分Ｆ２と回動方向（周方向）の成分Ｆ３とが生じ、後者の回動方向成分Ｆ３が可動磁力部６０８を反時計回り方向に引っ張る方向に働くが、その一方で、第１回動部材６０５と第２回動部材６０７との間には軸挿通部６０４が介在しており、第２回動部材６０７が吸引力（磁力）Ｆ１の径方向成分Ｆ２により軸挿通部６０４上に圧しつけられることにより生じる荷重に比例して摩擦力Ｆ４が生じ、この摩擦力Ｆ４が可動磁力部６０８の反時計回り方向への移動を引き留めるように阻止する方向に働く。ここで、同図に示すように動作量がまだ少なく僅かな角度しか回動していないうちは、吸引力（磁力）Ｆ１の回動方向成分Ｆ３が最大摩擦力Ｆ４に及ばず、したがって第２回動部材６０７が、該回動方向成分Ｆ３に抗して、回動することなく元の位置に留まる。
【０１０７】
（３）図１４（ａ）に矢印Ａ３で示すように、第１回動部材６０５および駆動磁力部６０６がさらに反時計回り方向に移動していくと、これに比例して吸引力（磁力）Ｆ１の回動方向成分Ｆ３も次第に増大していき、この回動方向成分Ｆ３が最大摩擦力Ｆ４を超えるレベルに及ぶと、図１４（ｂ）に矢印Ａ４で示すように、第２回動部材６０７が回動方向成分Ｆ３により反時計回り方向に引っ張られるようにして回動し、これとともに可動磁力部６０８が駆動磁力部６０６に追いつくように移動して、再び、駆動磁力部６０６と可動磁力部６０８とが吸引力（磁力）Ｆ１によって吸引し合ってこれらが最短距離を含む一定範囲内の位置にくるように第２回動部材６０７が回動したところで該第２回動部材６０７が停止して保持される。
【０１０８】
（４）この後、第１回動部材６０５がさらに反時計回り方向に回動していくと、第２回動部材６０７は、上述と同様にして、一定の間は同位置に留まり、ある時点がきたら第１回動部材６０５に追いつくように移動するという間欠的な回動動作を反復しながら、第１回動部材６０５の回動に引き連れられて回動していく。
【０１０９】
このときの第１回動部材６０５の回動動作に対する第２回動部材６０７の回動動作の様態を模式的にグラフにして示すと図１５のようになる。同図において、横軸は第１回動部材の回動量を、縦軸は第２回動部材の回動量をそれぞれ表す。ここで、仮に、例えば第２回動部材が第１回動部材に一体的に連動して常時かならず該第１回動部材と揃って回動するように構成されていたとすると、図中のＣ１に示すように、一定の傾きを有する正比例のグラフとなる。これに対し、本実施形態においては、図中のＥ１に示すように、第２回動部材６０７の回動量が一定の間同レベルに維持されてある時点で急激に上昇するという周期を繰り返し、全体としては階段状に間欠的に上昇していくグラフとなる。
【０１１０】
したがって、第１回動部材６０５は常に一定速度で回動し、この回動により第２回動部材６０７も引き連れられるように駆動されて同方向に回動していくのであるが、このとき第２回動部材６０７は、この第１回動部材６０５の回動に対して遅れては追いつきながら間欠的に回動していくという変則的な回動動作をすることとなる。
【０１１１】
このとき、第２回動部材６０７が外周寄りの位置で枢支軸である軸挿通部６０４に摺動自在に接していることにより、該軸挿通部６０４との間に比較的に大きな抵抗力を生じ、この抵抗力によって、第１回動部材６０５の回動に対して第２回動部材６０７がスムーズに連動せずにズレないし遅れを生じて変則的に連動するようになっている。即ち、図１３（ａ）に示す軸挿通部６０４の半径Ｒ１は約１１ｍｍであって、第２回動部材６０７の半径Ｒ２＝約１８．５ｍｍのおよそ１／１．７であるから、第２回動部材６０７は、該第２回動部材６０７の回動中心Ｐ１から該第２回動部材６０７の半径Ｒ２＝約１８．５ｍｍの１／２より大きい（約３／５程度の）距離Ｒ１＝約１１ｍｍをおいた外周寄りの位置で軸挿通部６０４に摺動自在に接しているので、軸挿通部６０４との間に生じる抵抗力が比較的に大となっている。仮に、第２回動部材６０７が例えば図１３（ａ）中に示す内周部Ｎ１のような内周寄りの位置で枢支軸に支持されてこれと摺動自在に接していたとすると、第２回動部材６０７が枢支軸に対し摺動する際に働く摩擦力Ｆ５は梃子の原理により大きな抵抗力とはならず、例えば第２回動部材６０７をスムーズに回動させようとする場合にはむしろ有利であるが、本実施形態においては上述の通り第２回動部材６０７が外周寄りの位置で枢支軸である軸挿通部６０４に支持されてこれと摺動自在に接しているので、これらの間に働く摩擦力Ｆ４が比較的に大きな抵抗力となっている。換言すれば、仮に同程度の摩擦力Ｆ４、Ｆ５が働いたとしても、梃子の原理により、内周寄りの位置で働く摩擦力Ｆ５よりも、外周寄りの位置で働く摩擦力Ｆ４のほうが、第２回動部材６０７に対してより大きな抵抗力として作用する。この抵抗力が、第２回動部材６０７のズレないし遅れを生じることとなり、これによって、第１回動部材６０５が一定速度で規則的に回動するにもかかわらず、可動部の動作はこれに対し多少ともずれた変則的なものとなっている。
即ち、軸挿通部６０４が、第２回動部材６０７に外周寄りの位置で摺動自在に接する抵抗部材となっていて、変則動作手段を構成しているのである。
【０１１２】
さらに加えて、スライド機構により第１回動部材６０５を軸挿通部６０４から引き抜くように後退させていくと、これにともなって駆動磁力部６０６と可動磁力部６０８との距離が次第に離隔してこれらの間に働く吸引力（磁力）Ｆ１も次第に弱くなるので、摩擦力Ｆ４が可動磁力部６０８の反時計回り方向への移動を引き留めるように阻止する方向に働く影響が次第に増大して、第２回動部材６０７の第１回動部材６０５に対する遅れ（ズレ）も次第に増大することとなる。即ち、図１５に示すグラフＥ１における水平部の長さが次第に増大していく。この結果、第２回動部材６０７に間欠的に生じる回動動作の間隔が大きくなってその変則性が強調され、視覚的にもよりわかりやすくなる。即ち、このスライド機構が、駆動磁力部６０６の可動磁力部６０８に対する相対位置を調整することにより駆動磁力部６０６と可動磁力部６０８との間に働く磁力を調整する磁力調整手段となっている。
さらにまた、スライド機構によれば、例えば第１回動部材６０５を軸挿通部６０４に急激に挿入したり引き抜くようにしたり、即ち急激に出入させるようにすることで、動力伝達が不可の状態から可能な状態へ、あるいはこの逆方向に、瞬時に切り替えるようにすることもでき、これにより動作をさらに多彩化することもできる。
【０１１３】
上記のようにして第２回動部材６０７が回動すると、該第２回動部材６０７の外周部には糸６０９を介してウキ６１０が連結されているので、この糸６０９が第２回動部材６０７に巻き取られ、これによりウキ６１０が下方に引っ張られて沈下していく。このとき、前述の通り、第２回動部材６０７は間欠的な変則回動をするので、これにともなってウキ６１０の動作も、一定速度で規則的に沈下していくのではなく、間欠的に引っ張られながら沈下していくという変則的なものとなる。
【０１１４】
さらにこのとき、第２回動部材６０７が回動する以前には、前述の通りウキ６１０は上層液６０２Ｃと下層液６０２Ｂとの境界面６０２Ｍに交わった状態となっているので、沈下し始めてから、下層液６０２Ｂ内に全体が没するまでは、下層液６０２Ｂ内に浸漬している体積が次第に増大していくためその浮力も次第に増大していく。また、糸６０９は第２回動部材６０７の一方側端（正面視左側端）よりやや上寄りの位置から巻き取られていくため、この糸６０９が一方側端（正面視左側端）に近づくにつれて巻取り力も僅かではあるが次第に増大していく。こうして、浮力によりウキ６１０にかかる上向きの力、ならびに第２回動部材６０７の巻取り力によりウキ６１０にかかる下向きの力はいずれも、第２回動部材６０７の回動にともなって、多少とも変動し、かつ、ウキ６１０の上部における形状の変化から、浮力も一定の割合で増加するわけではないこともあって、ウキ６１０にかかる下向きの力と下向きの力との関係も変動するので、ウキ６１０は総じて、多少とも変動する力を受けながら下方に沈下していくこととなる。
【０１１５】
さらに加えて、ウキ６１０は、下端部を糸６０９で係留されるようにして、上層液６０２Ｃおよび下層液６０２Ｂの中に自らの浮力により浮遊した状態に保持されているので、下方に引っ張られて沈下していく途上で前後左右に揺動するとともに、第２回動部材６０７が回動を停止する毎に上下動もするようになっている。このときのウキ６１０の動きを模式的に示すと図１６のようになる。同図（ａ）に示すように、第２回動部材６０７が反時計回りに小角度αだけ回動して糸６０９に対し図中の矢印Ａ５で示すように正面視左下方向への引きがかかると、これによりウキ６１０が下端を左方に振られながら左下方向に引っ張られる。同図（ｂ）に示すように、上記第２回動部材６０７の小角度αの回動が停止すると、ウキ６１０が、慣性により糸６０９をたるませながらさらに余分に左下方向に沈下するとともに、これと前後してウキ６１０の下端が図中の矢印Ａ６で示すように右方に揺り戻される。この後、同図（ｃ）に示すように、ウキ６１０は、下端を左右に揺動させながら、糸６０９が伸びきるまで、浮力により上方に戻る。
【０１１６】
このようにして、第２回動部材６０７が小角度ずつ間欠的に回動していく毎に、ウキ６１０は、左右に揺動しつつ、バウンドする（弾む）ように上下動するという複雑な動作をしながら、第２回動部材６０７の回動とともに下方に沈下していく。
【０１１７】
この後、第１回動部材６０５を逆方向に回動させると、ウキ６１０は浮力により浮上して元の位置に復帰する。このとき、第１回動部材６０５を低速で逆方向に回動させてウキ６１０を少しずつゆっくり浮上させることもでき、一方、第１回動部材６０５を高速で逆方向に回動させてウキ６１０を急速に浮上させることもできる。あるいは、スライド機構により第１回動部材６０５を一気に引き抜くようにすると、下方への引張力を解放してウキ６１０を浮力のみがかかった状態で浮上させるようにすることもできる。
【０１１８】
したがって、以上の構成・機序により、駆動部である第１回動部材６０５は常時一定の低速度で回動していながら、この駆動力は、可動部である第２回動部材６０７および糸６０９を介してウキ６１０に間欠的かつ不規則に伝達され、これによりウキ６１０は変則的な動作をしながら沈下していき、このとき、この沈下動作は、上述の通り間欠的に小幅ずつ（小刻みに）上下動しながらなされるため、あたかも魚が餌に食いついてウキ６１０にぴくっ、ぴくっと引きがかかっているかのような、複雑な動作が表出され、さらには、例えばスライド機構により駆動部から可動部への動力伝達を瞬時に断絶させるようにすれば、あたかも糸６０９が切れてウキ６１０が水面に浮上してくるかのような動作までも可能となり、これによって優れた演出効果が得られることとなる。
【０１１９】
（作用）
上述の通り、パチンコ機１０においては、外部から視認し得る位置である、遊技盤３０の中央における装飾図柄表示装置４２の右方の位置に、演出用の可動装置としてウキ動作ユニット６００が設けられた構成において、上記ウキ動作ユニット６００は、第１回動部材６０５、モータ９１、ギア等より構成される駆動部と、第２回動部材６０７、糸６０９およびウキ６１０より構成され、上記駆動部の動作に連動する可動部と、上記駆動部のうちの第１回動部材６０５と可動部のうちの第２回動部材６０７との間に介在して、上記駆動部の動作に対する上記可動部の動作を変則的にするための変則動作手段として軸挿通部６０４と、を備える構成となっているので、駆動部により駆動されて可動部が動作するが、該駆動部と可動部との間に変則動作手段が介在することにより、可動部が駆動部の動作に直接的に連動するのではなく、変則的に連動する。換言すれば、駆動部から可動部へ動力が直接的に伝達されるのではなく、変則動作手段を介することにより変則化されて伝達される。したがって、可動部の動作が駆動部の動作よりも複雑化され、例えば駆動部の動作が一定の単調な動作すなわち第１回動部材６０５の定速回動であっても、可動部の動作は変則的となって、より複雑な動作も表現されるようになっている。
このとき、駆動部のうちの第１回動部材６０５と可動部のうちの第２回動部材６０７との間に変則動作手段として軸挿通部６０４を介在させることによって可動部の動作を変則化しているので、例えば複雑な制御プログラムによって可動部の動作を制御することは不要となっており、さらには仮に例えば制御が複雑化されるとしても、可動部の動作をさらに複雑化することができる。
【０１２０】
また、駆動部が、回動自在に設けられた第１回動部材６０５を有し、該第１回動部材６０５の所定位置すなわち周面に形成された平面部６０５Ｐに駆動磁力部６０６が設けられ、可動部が、回動自在に設けられた第２回動部材６０７を有し、該第２回動部材６０７の所定位置すなわち連絡部６０７Ｊの位置の内部に可動磁力部６０８が設けられ、駆動磁力部６０６と可動磁力部６０８との間に働く磁力により第２回動部材６０７が第１回動部材６０５の回動に連動して回動する程度に上記第１回動部材と第２回動部材とが近接して配置され、変則動作手段が、第２回動部材６０７に外周寄りの位置で摺動自在に接する抵抗部材である軸挿通部６０４となっているので、駆動磁力部６０６と可動磁力部６０８との間に磁力が働くことで、第１回動部材６０５の回動に連動して第２回動部材６０７が回動する、即ち第１回動部材６０５の回動により第２回動部材６０７が駆動されて回動するが、このとき、第２回動部材６０７が外周寄りの位置で軸挿通部６０４に摺動自在に接していることにより、該軸挿通部６０４との間に比較的に大きな抵抗力を生じ、この抵抗力によって、第１回動部材６０５の回動に対して第２回動部材６０７がスムーズに連動せずにズレないし遅れを生じて変則的に連動するようになっている。即ち、例えば仮に第２回動部材が内周寄りの位置で抵抗部材に摺動自在に接していると、第２回動部材と抵抗部材との間に働く摩擦力は大きな抵抗力とはならないが、本実施形態においては第２回動部材６０７が外周寄りの位置で抵抗部材である軸挿通部６０４に摺動自在に接しているので、これらの間に働く摩擦力が比較的に大きな抵抗力となり、この抵抗力が第２回動部材６０７のズレないし遅れを生じることとなっている。これにより、第１回動部材６０５が一定速度で規則的に回動するにもかかわらず、可動部の動作はこれに対し多少ともずれた変則的なものとなっている。
また、上記のように連動しながら第１回動部材６０５および第２回動部材６０７が回動する途上で、摩擦力Ｆ４により生じる抵抗力と、駆動磁力部６０６と可動磁力部６０８との間に働く磁力Ｆ１との大小関係は一定ではなく常に変動するから、これにともない第２回動部材６０７のズレないし遅れの量も変動し、これにより可動部の動作が変則化されるようになっている。
またこのとき、抵抗部材である軸挿通部６０４と第２回動部材６０７との材質の組み合わせとして、特に摩擦を生じ得るような組み合わせとする必要がないので、簡潔な材質・構造により変則動作手段が構成されて駆動部から可動部への動力伝達が変則化される構成となっている。
【０１２１】
また、駆動部が、回動自在に設けられた第１回動部材６０５を有し、該第１回動部材６０５の所定位置すなわち周面に形成された平面部６０５Ｐに駆動磁力部６０６が設けられ、可動部が、回動自在に設けられた第２回動部材６０７を有し、該第２回動部材６０７の所定位置すなわち連絡部６０７Ｊの位置の内部に可動磁力部６０８が設けられ、駆動磁力部６０６と可動磁力部６０８との間に働く磁力により第２回動部材６０７が第１回動部材６０５の回動に連動して回動する程度に上記第１回動部材と第２回動部材とが近接して配置され、変則動作手段が、第１回動部材６０５の回動に対して第２回動部材６０７が遅れて回動する位置で該第２回動部材６０７に摺動自在に接する抵抗部材すなわち軸挿通部６０４となっているので、軸挿通部６０４により第１回動部材６０５の回動に対して第２回動部材６０７が遅れて回動することで、可動部の動作が駆動部の動作に対し多少ともずれた変則的なものとなっている。
【０１２２】
また、駆動部が、回動自在に設けられた第１回動部材６０５を有し、該第１回動部材６０５の所定位置すなわち周面に形成された平面部６０５Ｐに駆動磁力部６０６が設けられ、可動部が、回動自在に設けられた第２回動部材６０７を有し、該第２回動部材６０７の所定位置すなわち連絡部６０７Ｊの位置の内部に可動磁力部６０８が設けられ、駆動磁力部６０６と可動磁力部６０８との間に働く磁力により第２回動部材６０７が第１回動部材６０５の回動に連動して回動する程度に上記第１回動部材と第２回動部材とが近接して配置され、変則動作手段が、第２回動部材６０７に内周側から摺動自在に接する抵抗部材すなわち軸挿通部６０４となっているので、軸挿通部６０４が第２回動部材６０７に内周側から摺動自在に接することで抵抗力が効果的に作用し、これにより可動部の動作が駆動部の動作に対し多少ともずれた変則的なものとなっている。
【０１２３】
また、駆動磁力部６０６と可動磁力部６０８との間に働く磁力を調整する磁力調整手段としてスライド機構を備えるので、このスライド機構で相対位置を調整して磁力を調整することにより、第１回動部材６０５から第２回動部材６０７へ伝達される動力の強弱を調整することができ、したがって第２回動部材６０７の連動のズレないし遅れの程度も調整することができるようになっている。
また、駆動磁力部６０６と可動磁力部６０８との間に働く磁力を急激に減少させたり増大させるようにして第１回動部材６０５から第２回動部材６０７への動力伝達を断絶したり開始したりするといったように、動作をより多様化することもできるようになっている。
【０１２４】
また、可動部が、駆動部からの動力を変則動作手段すなわち軸挿通部６０４を介して入力する入力部である可動磁力部６０８と、可撓性を有する連結部である糸６０９と、遊動体であるウキ６１０とをこの順に連結してなる構成を備えるので、駆動部からの動力が糸６０９を介しウキ６１０に伝達されて該ウキ６１０が動作するが、このとき、糸６０９が可撓性を有することにより、ウキ６１０が揺動したり慣性により余剰の動きを生じたりすることとなってその動作がさらに変則的となっている。即ち、可動部の変則動作が増幅されるようになっている。
【０１２５】
また、ウキ６１０が、液体すなわち上層液６０２Ｃおよび下層液６０２Ｂに浮遊した状態に保持され、糸６０９により沈下する方向に引っ張られることにより動作するので、ウキ６１０を糸６０９により沈下する方向に引っ張るように動力を伝達すると、ウキ６１０には常に浮力が作用しているから、この引っ張る動力と浮力とが互いに引き合うようにウキ６１０に作用し、なおかつ、この動力は一様に伝達されるのではなく変則動作手段等により変則化されているから、該ウキ６１０が変則的に上下動するようになっており、これにより動作がさらに複雑化されている。
また、ウキ６１０を沈下した後に浮力を利用して元の位置に復帰させることができ、これにより該ウキ６１０が液中を浮揚する動作も表現されるようになっている。
さらにまた、ウキ６１０が上層液６０２Ｃないし下層液６０２Ｂに浮遊した状態に保持されることで、該上層液６０２Ｃないし下層液６０２Ｂが緩衝体となってウキ６１０が衝撃から防護され、これによりウキ６１０の損傷が防止されるようになっている。
【０１２６】
また、液体すなわち上層液６０２Ｃと下層液６０２Ｂとの境界面６０２Ｍが遊技者から視認可能となっているので、遊動体であるウキ６１０の動作にともない境界面６０２Ｍが揺動することで該ウキ６１０の僅かな動きも示唆され、また境界面６０２Ｍに波紋が生じることで該ウキ６１０の動きが強調されるようになっており、これらのことから該ウキ６１０の動きが視覚的にさらにわかりやすくなっている。
【０１２７】
また、ウキ６１０の全体が上層液６０２Ｃないし下層液６０２Ｂ中に浸漬した状態に保持されているので、ウキ６１０の全体が衝撃から防護され、これによりウキ６１０の損傷がさらに確実に防止されるようになっている。
【０１２８】
また、互いに異なる２種類の液体である上層液６０２Ｃと下層液６０２Ｂとが上下に分離した状態で重なって配置され、上層液６０２Ｃと下層液６０２Ｂとの境界面６０２Ｍに交わるようにしてウキ６１０が浮遊した状態に保持されているので、ウキ６１０の動きにともなってこの境界面６０２Ｍも揺動するが、例えば液体が上方の空間と接する境界面（液面）の場合に比して、この上下に重なる上層液６０２Ｃと下層液６０２Ｂとの境界面６０２Ｍの場合には、この境界面６０２Ｍの動きがより緩慢となっており、したがってこれによりウキ６１０の動きが視覚的にさらにわかりやすくなっている。
【０１２９】
また、液体すなわち上層液６０２Ｃないし下層液６０２Ｂが接触し得る部位であるウキ６１０に、該上層液６０２Ｃの液面に浮遊する材料よりなる塗料が塗布され、上層液６０２Ｃの液面および下層液６０２Ｂの底をそれぞれ前方から覆う不透明部として上部装飾板６１２Ｔおよび下部装飾板６１２Ｂと、該上層液６０２Ｃの液面と下層液６０２Ｂの底との間において前記可動部の動作の主要部を遊技者から視認可能とする透明部すなわち透明樹脂よりなる前面壁６０１Ｆとを備える容器である液槽６０１に上層液６０２Ｃおよび下層液６０２Ｂが収容されているので、特にウキ６１０の動作を繰り返すうちに、この塗料がウキ６１０から剥離し、ゴミとなって漂うこととなりやすいが、たとえこのように塗料が剥離してゴミとなっても、このゴミは上層液６０２Ｃの液面に浮遊し、上部装飾板６１２Ｔにより前方から覆われて遊技者から隠蔽されるため、ウキ動作ユニット６００の美観がゴミにより損なわれることなく良好に維持されるようになっている。
【０１３０】
また、上記パチンコ機１０においては、外部から視認し得る位置である、遊技盤３０の中央における装飾図柄表示装置４２の右方の位置に、演出用の可動装置としてウキ動作ユニット６００が設けられた構成において、上記ウキ動作ユニット６００は、第１回動部材６０５、モータ９１、ギア等より構成される駆動部と、第２回動部材６０７等より構成され、上記駆動部の動作に連動する可動部と、を備え、上記可動部は、上記駆動部からの動力を入力する入力部である可動磁力部６０８と、可撓性を有する連結部である糸６０９と、液体すなわち上層液６０２Ｃおよび下層液６０２Ｂに浮遊した状態に保持され、該糸６０９により沈下する方向に引っ張られることにより動作する遊動体としてウキ６１０とをこの順に連結してなる構成を備える構成としたので、駆動部からの動力が糸６０９を介し可動部を構成するウキ６１０に伝達されて該ウキ６１０が動作するが、このとき、糸６０９が可撓性を有することにより、ウキ６１０が駆動部の動作に直接的に連動するのではなく、揺動したり慣性により余剰の動きを生じたりすることとなってその動作が変則的となっている。換言すれば、駆動部からウキ６１０へ動力が直接的に伝達されるのではなく、可撓性を有する糸６０９を介することにより変則化されて伝達されるようになっている。
また、ウキ６１０を糸６０９により沈下する方向に引っ張るように動力を伝達すると、ウキ６１０には常に浮力が作用しているから、この引っ張る動力と浮力とが互いに引き合うようにウキ６１０に作用し、なおかつ、この動力は一様に伝達されるのではなく糸６０９等により変則化されているから、該ウキ６１０が変則的に上下動するようになっており、これにより動作がさらに複雑化されている。
したがって、駆動部の動作に対しウキ６１０の動作がより変則的とされ、これにより複雑な動作も表現されるようになっており、例えばウキ６１０の動作を制御する制御プログラムをより複雑化することは不要となっている。
【０１３１】
また、ウキ６１０を沈下した後に浮力を利用して元の位置に復帰させることができ、これにより該ウキ６１０が液中を浮揚する動作も表現されるようになっている。
さらにまた、ウキ６１０が上層液６０２Ｃないし下層液６０２Ｂに浮遊した状態に保持されることで、該上層液６０２Ｃないし下層液６０２Ｂが緩衝体となってウキ６１０が衝撃から防護され、これによりウキ６１０の損傷が防止されるようになっている。
【０１３２】
（変更態様）
上記パチンコ機１０には、例えば以下に列挙するように様々な変更を加えることが可能である。
【０１３３】
（１）前記実施形態においては、第２回動部材６０７に摺動自在に接する抵抗部材が樹脂製の軸挿通部６０４となっていたが、例えば抵抗部材の表面ないし第２回動部材の内周面（即ち接触部）をゴム等の材質で構成したり、表面処理を施す、凹凸を形成する、表面粗さを変える等の方法により摩擦力を調整し、これにより第２回動部材に作用する抵抗力を調整して該第２回動部材のズレないし遅れの量を増減させるようにしてもよい。
【０１３４】
（２）さらには、抵抗部材が、第２回動部材と接する位置により異なる抵抗力を生じるようにしてもよい。例えば、抵抗部材の表面ないし第２回動部材の内周面（即ち接触部）を、上記（１）で例示した方法により、周方向に沿って規則的ないし不規則的に次第に密度が変化するように凹凸を形成したり、次第に表面粗さが変化するように構成し、これにより、位置により異なる摩擦力を生じるようにすればよい。この構成によれば、第２回動部材が回動する途上で抵抗部材から受ける抵抗力が位置により異なることとなり、これにより第２回動部材の回動をさらに変則的とすることができる。
【０１３５】
（３）前記実施形態においては、駆動部を構成する内周側の第１回動部材６０５から、可動部を構成する外周側の第２回動部材６０７へ動力が伝達される構成となっていたが、これとは逆に、内周側の部材を可動部、外周側の部材を駆動部として、外周側から内周側へ動力が伝達される構成としてもよい。
【０１３６】
（４）あるいは、例えば図１７に示すように、駆動部側の第１回動部材と可動部側の第２回動部材とを軸方向に並置して動力が軸方向に伝達される構成としてもよい。同図に示す例においては、液槽６１３の背面壁６１３Ｒの外面に接するようにして円板状の第１回動部材６１４が回動自在に配置され、該第１回動部材６１４は、背面壁６１３Ｒに対し垂直に後方へ延びてモータ９１およびギア（図示せず）に連動するように連結された回動軸６１５により駆動されて回動するようになっている。一方、液槽６１３の背面壁６１３Ｒの内面に接するようにして、円板状の第２回動部材６１６が、上記回動軸６１５と同一軸上にある枢支軸６１７に回動自在に支持されている。第１回動部材６１４の前面部において径方向の両端部にはそれぞれ駆動磁力部６１８が配置され、第２回動部材６１６の背面部において上記駆動磁力部６１８に対応する位置にはそれぞれ可動磁力部６１９が配置されており、駆動磁力部６１８と可動磁力部６１９とが磁力により吸引しあうことで、第１回動部材６１４の回動に連動して第２回動部材６１６が回動する、即ち第１回動部材６１４の回動により第２回動部材６１６が駆動されて回動するようになっている。駆動磁力部６１８と可動磁力部６１９とが磁力により吸引しあうことにより、第２回動部材６１６の背面が背面壁６１３Ｒの内面に圧しつけられ、この状態で回動することで、第２回動部材６１６の背面と背面壁６１３Ｒの内面との間に摩擦力が生じるようになっている。即ち、この例においては、背面壁６１３Ｒが抵抗部材となっている。この場合、第２回動部材６１６が背面の全面、即ち内周寄りの位置および外周寄りの位置のいずれも含む全ての位置で背面壁６１３Ｒの内面に摺動自在に接することにより、これらの間に働く摩擦力が、例えば内周寄りの位置のみで摺動自在に接する場合に比して、第２回動部材６１６に対し大きな（特にこの場合は最大の）抵抗力として作用するようになっている。
【０１３７】
（５）前記実施形態においては、スライド機構が、駆動磁力部６０６の可動磁力部６０８に対する相対位置を調整することにより駆動磁力部６０６と可動磁力部６０８との間に働く磁力を調整する磁力調整手段となっていたが、磁力調整手段としてはこのようなもの以外にも、例えば、駆動磁力部および可動磁力部の少なくとも一方を電磁石により構成して該電磁石に通電する電流を調整することにより磁力を調整するもの等であってもよい。
【０１３８】
（６）前記実施形態においては、遊動体であるウキ６１０が上層液６０２Ｃおよび下層液６０２Ｂに浮遊した状態に保持され、可撓性を有する連結部材である糸６０９により沈下する方向に引っ張られることにより動作するようになっていたが、例えば図１８に示すように、遊動体を空間内（空気中）に保持したり、可撓性を有していない連結部材により遊動体を駆動したりするようにしてもよい。同図に示す例においては、変則動作手段を介して駆動部により駆動される（この駆動機構は前記実施形態の場合と同様であるため図示省略）第２回動部材６２０に、連結部材として径方向に延出する腕部６２０Ｈが一体的に形成され、該腕部６２０Ｈの先端にキャラクタ６２１が固定されている。この構成によれば、第２回動部材６２０の回動に一体的に連動してキャラクタ６２１が空中を周回するが、第２回動部材６２０は変則動作手段により変則的に回動するので、キャラクタ６２１の周回運動も変則的なものとなっている。このとき、遊動体を浮遊した状態に保持するための液体が使用されていないので、特にケーシング６２０Ｃを密閉構造とすることも不要であること等から構成が簡略なものとなっている。
【０１３９】
（７）また、例えば図１９に示すように、変則動作手段を介して駆動部により駆動される（この駆動機構は前記実施形態の場合と同様であるため図示省略）第２回動部材６２２から所定の距離をおいた位置にプーリ６２３を配置し、第２回動部材６２２とプーリ６２３とにベルト６２４を架設してベルト機構を構成し、ベルト６２４にキャラクタ６２５を固定するようにしてもよい。この構成によれば、第２回動部材６２２を回動させることでキャラクタ６２５をベルト６２４に沿って往復動させることができ、この場合にも、遊動体を浮遊した状態に保持するための液体を不要とすることができる。
【０１４０】
（８）また、例えば図２０に示すように、遊動体を風力によって浮遊した状態に保持するようにしてもよい。同図に示す例では、風船状に薄肉の外皮からなる中空体のキャラクタ６２６が糸６２７により下方の第２回動部材６２８（変則動作手段および駆動機構は前記実施形態の場合と同様であるため図示省略）に係留され、下方に設置された送風機６２９からの送風により、空中に浮遊した状態に保持されるようになっている。この構成によれば、風力を受けることにより、揺動したり上下動したりといったキャラクタ６２６の変則的な動きも表出されるようになっている。
【０１４１】
（９）あるいは、例えば、上方に第２回動部材を配置し、該第２回動部材から糸等により遊動体を吊下して空中に浮遊した状態に保持するようにしてもよい（図示省略）。この構成によれば、送風機は不要とすることができるが、例えば、側方に送風機を設置して遊動体に側方から風をあて、これにより遊動体を揺動させてその動きにさらに変化を付与するようにしてもよい。
【０１４２】
（１０）前記実施形態におけるウキ動作ユニット６００の構成において、例えば図２１に示すように、一定速度で回動する第１回動部材６３０に直接的に糸６３１を介してウキ６３２（遊動体）を連結し、これにより、変則動作手段を省略した構成を有するウキ動作ユニット６３３（可動装置）としてもよい。この構成においては、駆動部を構成する第１回動部材６３０からの動力が、変則動作手段を介することなく可撓性を有する連結部である糸６３１に入力され（このため、糸６３１の固定端が入力部である）、遊動体であるウキ６３２に伝達されることとなる。この構成によれば、糸６３１が第１回動部材６３０により定速で巻き取られ、ウキ６３２に一定の規則的な引張力がかかることとなるが、この場合にも、前記実施形態の場合と同様に、ウキ６３２が液体６３４に浮遊した状態に保持され、可撓性を有する連結部である糸６３１により沈下する方向に引っ張られることにより動作することで、複雑な動作が表出される。この場合、第１回動部材６３０が間欠的に回動するように（例えば一定間隔をおいて一定角度ずつ回動するように）制御して、前記実施形態の場合とほぼ同様の間欠的な動作とするようにしてもよい。この構成においては、遊動体であるウキ６３２を浮遊した状態に保持するための液体６３４ならびに可撓性を有する連結部である糸６３１を用いることで動作の複雑性がある程度まで確保されているため、そのぶん、第１回動部材６３０の制御を複雑化させることは不要である。
【０１４３】
（１１）前記実施形態においては、第１回動部材６０５が正面視反時計回り方向に回動し、この回動により第２回動部材６０７も駆動されて同方向に回動するようになっていたが、第１回動部材６０５および第２回動部材６０７がそれぞれこれとは逆方向すなわち正面視時計回り方向に回動する構成としてもよく、さらには両方向（正逆方向）に回動するようにしてウキ６１０が正面視左下方向および右下方向のいずれにも沈下していく構成としてもよい。第２回動部材６０７が正面視時計回り方向に回動する場合、ウキ６１０が正面視右下方向に沈下していく途上で、糸６０９が横木部６１１に抵触することとなるが、このように糸６０９を横木部６１１に抵触させることにより動作が規制され、その一方で、糸６０９は横木部６１１よりも正面視左側方向や前後方向へは動作が規制されず自由に移動できるので、そのぶん動作の変則性も確保されることとなる。
【０１４４】
（１２）前記実施形態においては、遊動体であるウキ６１０が、下端部を糸６０９で係留されるようにして上層液６０２Ｃおよび下層液６０２Ｂの中に浮遊した状態に保持されており、糸６０９が届く範囲内であれば、基本的に動作は制限されず任意方向（上下左右前後）に自由に揺動し得る状態に保持されるようになっていたが、遊動体の動作が特定方向に規制される構成としてもよい。例えば、任意方向に延びる筒状体の内部に、該筒状体の内面形状に沿った外周部を有する遊動体が収容され、該遊動体が筒状体内を長さ方向に往復し得るようにした構成や、あるいは遊動体が任意の方向に架設された直線状、屈曲形状、曲線状等の任意形状に延びるレール上をスライド移動し得るようにした構成等（図示せず）が可能である。
【０１４５】
（１３）前記実施形態においては、ウキ６１０に塗布される塗料が、剥離した場合に上層液６０２Ｃの液面に浮遊するものとなっていたが、例えば、ウキ６１０に塗布された塗料内に気泡を形成するようにしてもよく、これによれば塗料が上層液６０２Ｃよりもいくぶん比重が上回る材質のものであっても液面に浮遊するものとすることができる。あるいは逆に、例えば下層液６０２Ｂよりも比重の大きい材料よりなる塗料を用いて、剥離した場合に下層液６０２Ｂ内で沈むようにしてもよく、これによれば、塗料が剥離してゴミとなっても、このゴミは下層液６０２Ｂの底に沈殿し、下部装飾板６１２Ｂにより前方から覆われて遊技者から隠蔽されることとなる。
また、ウキ６１０以外にも、例えば第２回動部材６０７や液槽６０１の内面等のような、液体すなわち上層液６０２Ｃないし下層液６０２Ｂが接触し得る部位であれば任意の部位に、上記のような上層液６０２Ｃの液面に浮遊または下層液６０２Ｂの底に沈殿する材料よりなる塗料を塗布するようにしてもよい。
【０１４６】
（１４）駆動磁力部および可動磁力部としては、互いの間に磁力が働き得るものであればよく、例えば、駆動磁力部および可動磁力部の一方を磁石とし、他方を金属または合金等の磁性体とした構成や、あるいは両者を磁石として一方のＮ極と他方のＳ極とが吸引しあうかあるいは両者のＮ極同士またはＳ極同士が反発し合うようにした構成等とすればよい。
また、磁石としては、永久磁石以外にも、電磁石を用いてもよい。さらに、永久磁石としても、アルニコ磁石、フェライト磁石、ネオジム磁石等の各種の磁石がいずれも使用できる。
【０１４７】
（１５）可撓性を有する連結部としては、可撓性を有するように構成されたものであればよく、例えば、樹脂、金属、綿等よりなる糸、紐、ワイヤ等の線材、樹脂フィルム、金属箔等よりなるテープ、樹脂、金属等よりなるチェーン等で構成されたものが挙げられる。
さらには、連結部を例えばゴムよりなる線材、テープ等で構成されたものとすると、弾性により動作にさらに複雑性を付与することができる。
また、前記実施形態においては、入力部である可動磁力部６０８、連結部である糸６０９および遊動体であるウキ６１０がそれぞれ別体として構成されていたが、入力部、連結部および遊動体のうちの連続する二者（即ち、入力部と連結部、または連結部と遊動体）あるいは三者（即ち入力部、連結部および遊動体の全て）が一体に構成されていてもよい。例えば、連結部としての樹脂、ゴム、金属等よりなる線状体の先端に、任意の形状で膨出する中実または中空の遊動体を一体的に成形するようにした構成が挙げられる。
【０１４８】
（１６）前記実施形態においては、水よりなる上層液６０２Ｃと、水より比重が大である非水溶性液体よりなる下層液６０２Ｂとが、互いに混じり合うことなくほぼ中央で上下に分離した状態で重なっている構成となっていたが、液体としては上記のようなものに限定されず、任意のものが使用できる。ただし、複数の液体を用いる場合には、前記実施形態におけるように互いに混じり合うことなく分離した状態を保持し得るものを用いると、液体間の界面を形成して可動部の動作を強調したり補助したりし得る構成要素とすることができる。
また、液体にかえて、空気等の任意の気体を用いるようにしてもよく、さらにまた、例えば１層または複数層の液体の上に気体を配置する構成等も可能である。
【０１４９】
（１７）前記実施形態においては、上層液６０２Ｃおよび下層液６０２Ｂが、演出装置としてのウキ動作ユニット６００の演出基材となっているが、このような液体よりなる演出基材の少なくとも一部を水平方向または垂直方向の指標とする傾斜度確認機構を設けるようにしてもよい。
【０１５０】
上記傾斜度確認機構として、例えば図２２および図２３に示すように、所定位置に目盛を配置形成するようにするようにしてもよく、これによれば、遊技機の傾斜を所定の角度に合わせたり、あるいは測定したりすることができる。図２２に示すウキ動作ユニット６３６においては、液槽６３７の両側面壁６３７Ｓに、上層液６３８Ｃおよび下層液６３８Ｂの境界面６３８Ｍがくる高さ位置に一直線の目盛６３５が付されており、該目盛６３５は、同図に示すように液槽６３７が垂直な体勢にあるときに、上層液６３８Ｃおよび下層液６３８Ｂの境界面６３８Ｍに対し前後方向中央部で所定角度β＝５°で交差するように、前下方から後上方へ傾斜するように形成されている。なお、図２２は左側面図であり、図における右側（即ち下部装飾板６３９Ｂが配置されている側）が、実際上のウキ動作ユニット６３６における前側である。
【０１５１】
上記のようにウキ動作ユニット６３６に目盛６３５が付されていれば、上層液６３８Ｃおよび下層液６３８Ｂの境界面６３８Ｍと目盛６３５とを合致させることにより、パチンコ機の設置角度を容易かつ正確に所定の設置角度（ここに示す例では５°）に合わせることができる。
【０１５２】
前記実施形態に係るパチンコ機１０において、上記図２２に示すウキ動作ユニット６３６を用いるようにすれば、外部から視認し得る位置である、遊技盤３０の中央における装飾図柄表示装置４２の右方の位置に、遊技に関連する演出を行う演出装置としてウキ動作ユニット６３６が設けられ、該ウキ動作ユニット６３６が、液槽６３７により外部から視認可能に保持された液体よりなる演出基材として上層液６３８Ｃおよび下層液６３８Ｂを備えるとともに、該上層液６３８Ｃおよび下層液６３８Ｂの一部である境界面６３８Ｍを水平方向の指標とする傾斜度確認機構を備える構成となる。
【０１５３】
上記構成によれば、傾斜度確認機構を備える演出装置としてウキ動作ユニット６３６がパチンコ機１０に設けられているので、水準器等の器具を用いる必要もなく、したがってパチンコ機１０を容易かつ正確に所定の設置角度（＝β）に合わせて設置することができ、特に、パチンコ機１０の設置角度を合わせた後も、任意の時点で容易にパチンコ機１０の角度を確認することができるのであり、この角度にズレが生じていた場合にも、再び水準器等の器具を用意することもなく容易にパチンコ機１０の設置角度を合わせ直すことができる。
【０１５４】
しかもこのとき、傾斜度確認機構が、傾斜度を確認するための部品ないし部材を別個にパチンコ機１０に配設するのではなく、演出装置であるウキ動作ユニット６３６における上層液６３８Ｃおよび下層液６３８Ｂの一部である境界面６３８Ｍを水平方向の指標とすることによって構成されているので、この傾斜度確認機構自体がパチンコ機１０の部品点数を増大させることともなっていない。
【０１５５】
換言すれば、演出装置であるウキ動作ユニット６３６が、演出効果を奏する演出装置としての本来の機能のみならず、パチンコ機１０を所定の設置角度に合わせるための傾斜度確認手段としての機能も併せて備えることとなっており、したがってそのぶん、演出装置とは別に傾斜度確認手段を設ける場合に比して、パチンコ機１０の部品点数が少なくて済むこととなっている。
【０１５６】
さらにこのとき、演出基材を液体である上層液６３８Ｃおよび下層液６３８Ｂとしているので、該上層液６３８Ｃおよび下層液６３８Ｂの流動的な動きにより良好な演出効果が得られるとともに、該上層液６３８Ｃおよび下層液６３８Ｂの境界面６３８Ｍを水平方向の指標とすることによりパチンコ機１０を容易かつ正確に所定の設置角度に合わせて設置することができ、演出装置であるウキ動作ユニット６３６および傾斜度確認機構の構成も複雑化されることなく簡略なものとなっている。即ち、演出基材を液体である上層液６３８Ｃおよび下層液６３８Ｂとする簡略な構成により、良好な演出効果を奏する演出装置としてウキ動作ユニット６３６が構成されているとともに、パチンコ機１０の設置作業を容易かつ正確に行うことが可能な傾斜度確認機構が構成されている。
【０１５７】
さらに付言すれば、演出装置においては、良好な演出効果を確保しながら構成を簡素化することが従来より要望されているが、上記構成によれば、演出装置であるウキ動作ユニット６３６を構成する演出基材を液体である上層液６３８Ｃおよび下層液６３８Ｂとする簡略な構成により、上述のような演出装置に対する要望にも応じたものとなっている。
【０１５８】
また、上記構成によれば、傾斜度確認機構が、水平方向の指標である上層液６３８Ｃおよび下層液６３８Ｂの境界面６３８Ｍと、所定の角度βを示す目盛６３５とを有して構成され、上記境界面６３８Ｍと目盛６３５とを合致させることにより、パチンコ機の設置角度を所定の設置角度に合わせるようになっているので、演出基材として上層液６３８Ｃおよび下層液６３８Ｂを備える演出装置であるウキ動作ユニット６３６に目盛６３５を配設するという簡略な構成により、パチンコ機の設置角度を容易かつ正確に所定の設置角度に合わせることが可能となっている。
【０１５９】
また、図２３に示すウキ動作ユニット６４０においては、所定の単一の設置角度５°だけでなく水平位置である０°等の他の角度位置を含む複数の角度を示すように放射状に形成された目盛６４１および数字６４１Ｃが付されており、これによれば、パチンコ機の設置角度を別の角度に変更したり、パチンコ機の傾斜を計測したりすることもできる。
【０１６０】
また、例えば液槽の背面壁（または前面壁）に、該液槽が所定の設置体勢にあるときに上層液および下層液の境界面に合致する水平な単一の目盛、または上記と同様の複数の角度を示す目盛を付しておき、これにより、遊技機の体勢を左右方向に傾斜のない正面視垂直に合わせたり、遊技機の左右方向における傾斜を測定し得るようにしてもよい（図示せず）。
【０１６１】
また、上記目盛は、液槽の壁面に凹入するように刻設する、液槽の壁面に浮彫り状に突設する、液槽の壁面に塗装する、目盛を表示した透明なシールを液槽の壁面に貼付する、等の適宜な方法により形成することができ、また液槽の内面および外面のいずれに形成するようにしてもよい。さらには、目盛を表示した表示板やキャラクタ等の装飾物を、液槽の内部で液体の界面に交差するように立設するようにしてもよい。さらにこの場合、例えば図２４に示すように、装飾物の外郭、稜線、模様等の各部を構成する任意の線状部を目盛とするようにしてもよく、これによれば目盛が装飾の一部となるため、目盛が外観に影響しない構成とすることができる。同図に示す遊動体動作ユニット６５２においては、前記実施形態の場合と同様にして駆動される遊動体（図示省略）とは別に、剣を模した装飾物６５３が、液槽６５４の前後方向（奥行方向）に対して所定の角度γだけ前傾し、かつ、上層液６５５Ｃおよび下層液６５５Ｂの境界面６５５Ｍの前後方向中央に鍔６５３Ｆが交差する体勢となるように、液槽６５４の底面上に突き立てるようにして立設されており、上層液６５５Ｃおよび下層液６５５Ｂの境界面６５５Ｍを鍔６５３Ｆに合致させることにより、パチンコ機の設置角度を容易かつ正確に所定の設置角度（＝γ）に合わせることができるようになっている。
【０１６２】
あるいは、例えば図２５に示すように、上端に気泡を残して液槽内に液体を充満させるようにし、これにより、遊技機の傾斜を所定の角度に合わせたり、あるいは測定したりする構成としてもよい。同図に示すウキ動作ユニット６４２は、液槽６４３の上面壁６４３Ｔが、図２５（ａ）の左側面図に示すように側面視円弧状をなして上方にやや突出するとともに、図２５（ｂ）の正面図に示すように左右両端から中央にかけて正面視山形状（概略切妻屋根状）に上方にやや隆起し、したがって中央に側面視円弧状の稜線６４３Ｒが前後に延びるように形成された、凡そ算盤玉の外周と同様の形状となっており、該液槽６４３内に、上端に気泡６４４を残すようにして内容液６４５を充満させ、図２５（ｃ）の平面図に示すように、液槽６４３の上面壁６４３Ｔにおける中央よりやや前寄りの位置に、該液槽６４３の上部が後方へ所定角度だけ傾斜した角度位置を示す目盛６４６が稜線６４３Ｒに直交するように配置形成されている。該ウキ動作ユニット６４２は、パチンコ機１０の内枠１２を開放した状態では気泡６４４および目盛６４６が露出して外部から視認しやすく、内枠１２を閉じた状態では気泡６４４および目盛６４６が隠蔽されて外部から視認し難くなるような位置に配置される（図示省略）。
【０１６３】
上記構成によれば、気泡６４４の位置を目盛６４６に合わせることにより、パチンコ機の設置角度を容易かつ正確に所定の設置角度に合わせることができる。即ち、上記ウキ動作ユニット６４２が、液体である内容液６４５を演出基材として用いている構成を利用して、水準器と同様の傾斜度確認機構が構成されており、これにより、簡単な構成によりパチンコ機の設置角度を容易かつ正確に所定の設置角度に合わせることが可能な構成となっている。
【０１６４】
即ち、傾斜度確認機構が、垂直方向の指標である気泡６４４と、所定の角度位置を示す目盛６４６とを有して構成され、上記気泡６４４と目盛６４６とを合致させることにより、パチンコ機の設置角度を所定の設置角度に合わせるようになっているので、演出基材として内容液６４５を備える演出装置であるウキ動作ユニット６４２に気泡６４４および目盛６４６を配設するという簡略な構成により、パチンコ機の設置角度を容易かつ正確に所定の設置角度に合わせることが可能となっている。
【０１６５】
またこの場合、傾斜度確認機構の要部を構成する気泡６４４および目盛６４６は液槽６４３の上端部に配置されているので、上述のように内枠１２を閉じ状態では気泡６４４および目盛６４６が隠蔽されて外部から視認し得なくなるような位置にウキ動作ユニット６４２を配置したり、あるいは液槽６４３の上端部における前面に上部装飾板（図示省略）を配置したりすること等によって、これら気泡６４４および目盛６４６がウキ動作ユニット６４２の外観に影響しないようにすることができる。またこの場合、前記実施形態におけるような平面状に拡がる液体の界面を利用することなく傾斜度確認機構が構成されているので、例えば図２５に示すウキ動作ユニット６４２のように内容液６４５を単一の液体としてこれを液槽６４３内に充満させた場合も含め、平面状に拡がる液体の界面の有無を問わず傾斜度確認機構を構成することができる。
【０１６６】
なおこの場合、気泡の位置を示す目盛を複数の角度位置に配置形成し、これによりパチンコ機の設置角度を別の角度に変更したり、パチンコ機の傾斜を測定したりし得る構成としてもよい（図示省略）。
【０１６７】
また、例えば図２６に示すウキ動作ユニット６４７のように、液槽６４８の上面壁６４８Ｔを概略半球面状（ドーム状）に上方へ突出する曲面状とし、該液槽６４８内に、上端に気泡６４９を残すようにして内容液６５０を充満させ、上面壁６４８Ｔにおいて、液槽６４８が所定の設置体勢にあるときに気泡６４９がくる位置、即ち上面壁６４８Ｔの中心（頂点）から前後方向に沿ってやや前方へ移動した位置に、点状のマーク６５１を配置形成するようにしてもよく、この構成によれば、気泡６４９の位置をマーク６５１に合わせることにより、前後方向だけでなく左右方向においても（即ち二次元的に）パチンコ機を容易かつ正確に所定の設置体勢に合わせることができる。換言すれば、気泡６４９の位置をマーク６５１に合わせることにより、容易かつ正確に、パチンコ機を前後方向に所定の設置角度に合わせると同時に、左右方向に傾斜のない正面視垂直な体勢に合わせることができる。
【０１６８】
（１８）前記実施形態においては、傾斜度確認機構が、液体よりなる演出基材である上層液６０２Ｃおよび下層液６０２Ｂの少なくとも一部を水平方向または垂直方向の指標とするものとなっていたが、傾斜度確認機構としては、液体よりなる演出基材を用いたもの以外にも、例えば図２７に示すようなものも可能である。同図に示す例においては、演出装置の天板上等（図示せず）の適宜位置に、遊技機が所定の設置角度にあるときにちょうど水平となる水平面６６０が配置され、該水平面６６０上に×印状のマーク６６１が付されて、このマーク６６１の位置に、遊技球等よりなる球体６６２が載置された構成となっている。この傾斜度確認機構によれば、球体６６２がマーク６６１の位置に保持されているか否かによって遊技機が所定の設置角度にあるか否かが確認でき、したがって簡単な構成によって容易かつ正確に遊技機の設置角度を合わせることができる。
また、例えば、演出基材として、所定の形状に形成されたキャラクタ等の遊動体を上方から糸、ワイヤ等の可撓性部材により吊下し、該遊動体を垂直方向の指標として、該遊動体の下方に目盛を配設したり、遊技機が所定の設置角度にあるときに該遊動体がくる位置にマークまたはそのマークとして機能し得る模様、装飾体等を配設したりすることによって傾斜度確認機構を構成してもよい（図示せず）。この構成によれば、下げ振り（錘重）と同様に機能する傾斜度確認機構とすることができる。
【０１６９】
（１９）前記実施形態においては、傾斜度確認機構が、液体よりなる演出基材である上層液６３８Ｃおよび下層液６３８Ｂの境界面６３８Ｍを水平方向の指標として構成され、また、前記図２５に示す例においては、傾斜度確認機構が、気泡６４４を垂直方向の指標として構成されていたが、例えば図２８に示すウキ動作ユニット６６４のように、液中に下方から係留されて浮遊する遊動体を垂直方向の指標とするようにしてもよい。同図に示すウキ動作ユニット６６４においては、液槽６６５に充満された内溶液６６６中に、遊動体であるウキ６６７が、前記実施形態のウキ６１０と同様に糸６６８により下方から係留されて浮遊した状態に保持されている。該糸６６８は、同図に示すようにウキ６６７の上端が液槽６６５の上面壁６６５Ｔに接する直前の位置まで達する程度の長さを有していて、下端で第２回動部材６６９に固定されている。液槽６６５の上面壁６６５Ｔには、液槽６６５が所定の設置体勢にあるときにウキ６６７の上端がくる位置に、点状のマーク６７０が配置形成されている。この構成によれば、ウキ６６７を垂直方向の指標としてこれをマーク６７０に合わせることにより、前記図２６に示すウキ動作ユニット６４７の場合と同様に、前後方向だけでなく左右方向においても（即ち二次元的に）パチンコ機を容易かつ正確に所定の設置体勢に合わせることができる。また、上記ウキ動作ユニット６６４においては、遊技機の設置作業時には図２８に示すようにウキ６６７が液槽６６５の上面壁６６５Ｔに接する直前の位置で係留されて浮遊した状態に保持されるが、遊技機の稼動時には、糸６６８が第２回動部材６６９により巻き取られ、これによりウキ６６７が演出動作に好適な液槽６６５の高さ方向中央部付近の位置で係留されて浮遊した状態に保持されるようになっている。このように、遊技機の設置作業時には糸６６８を第２回動部材６６９から最大限に引き出すようにすることで、液槽６６５が所定の設置体勢から一定角度だけずれた場合に、ウキ６６７のマーク６７０からの位置ズレも最大限となり、したがってこのズレの度合いを明瞭に把握することができる。
【０１７０】
（２０）傾斜度確認機構を備える演出装置である上記ウキ動作ユニット６３６、６４０、６４２、６４７、６５２、６６４はいずれも、遊技盤３０の中央における装飾図柄表示装置４２の右方の位置に配置されるが、演出装置は、遊技機において外部から視認し得る位置であれば任意の位置に配置することができ、例えば図１ないし図３に示す前面枠セット１４における窓部１０１の周縁の位置等に配置することも可能である。ただし、遊技盤自体を所定の設置角度に正確に合わせるには、傾斜度確認機構を備える演出装置が遊技盤に配置されていることが望ましい。
【０１７１】
（２１）前記実施形態においては、遊動体であるウキ６１０が駆動部により駆動されるようになっているが、例えば、液槽を揺動させるように駆動して液体に波動を表出させたり、底面部から泡を発生させたりするようにしてもよい（図示省略）。さらには、演出装置として、モータ、ソレノイド等により駆動される動作機構を備えないものとしてもよい。例えば図２９に示すように、樹脂、金属、綿等よりなる糸、紐、ワイヤ等の線材、樹脂フィルム、金属箔等よりなるテープ等の可撓性を有する材料よりなる装飾体を内容液中に遊動自在に配置して装飾性を得るようにした装飾ユニットを演出装置とすることも可能である。同図に示す装飾ユニット６５８においては、海草を模した樹脂フィルムよりなる装飾体６５６が、下端を液槽６５９の底面に繋留されるようにして、内容液６５７中に遊動自在に保持されている。あるいは例えば、上層液および下層液の境界面に適宜な装飾体を浮遊させて装飾性を得るようにした装飾ユニット等も可能である（図示省略）。
【０１７２】
（２２）前記実施形態においては、パチンコ機１０が例示されていたが、遊技機としては、パチンコ機以外にも、スロット機、パチンコ機とスロット機を融合させた遊技機も例示される。
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０１７３】
なお本明細書は、次に掲げる発明をいずれも開示している。
【０１７４】
本発明にかかる遊技機は、上記目的を達成するために、手段１として、
外部から視認し得る位置に演出用の可動装置が設けられた遊技機であって、
前記可動装置は、
駆動部と、
前記駆動部の動作に連動する可動部と、
前記駆動部と前記可動部との間に介在して、前記駆動部の動作に対する前記可動部の動作を変則的にするための変則動作手段と、
を備えることを特徴とする。
【０１７５】
本発明において、「連動」とは、一方の動作に同期して他方が動作することに限定されるものではなく、一方の動作に多少とも先行ないし遅れるようにして他方が動作することも含むものとする。
【０１７６】
上記手段１の構成によれば、駆動部により駆動されて可動部が動作するが、該駆動部と可動部との間に変則動作手段が介在することにより、可動部が駆動部の動作に直接的に連動するのではなく、変則的に連動する。換言すれば、駆動部から可動部へ動力が直接的に伝達されるのではなく、変則動作手段を介することにより変則化されて伝達される。したがって、可動部の動作が駆動部の動作よりも複雑化され、例えば駆動部の動作が一定の単調な動作であったとしても、可動部の動作は変則的となって、より複雑な動作も表現することが可能となる。
このとき、駆動部と可動部との間に変則動作手段を介在させることによって可動部の動作を変則化しているので、例えば複雑な制御プログラムによって可動部の動作を制御することを不要とすることができ、あるいは、例えば制御が複雑化される場合にも、可動部の動作をさらに複雑化することができる。
【０１７７】
また、本発明にかかる遊技機は、手段２として、手段１の遊技機において、
前記駆動部が、回動自在に設けられた第１回動部材を有し、該第１回動部材の所定位置に駆動磁力部が設けられ、
前記可動部が、回動自在に設けられた第２回動部材を有し、該第２回動部材の所定位置に可動磁力部が設けられ、
前記駆動磁力部と前記可動磁力部との間に働く磁力により前記第２回動部材が前記第１回動部材の回動に連動して回動する程度に前記第１回動部材と第２回動部材とが近接して配置され、
前記変則動作手段が、前記第２回動部材に少なくとも外周寄りの位置で摺動自在に接する抵抗部材であることを特徴とする。
【０１７８】
本発明において、「回動」とは、一方向のみへの回転動作と、正逆両方向への回転動作とのいずれも含意する。
また、「駆動磁力部」および「可動磁力部」としては、互いの間に磁力が働き得るものであればいずれも含意し、例えば、駆動磁力部および可動磁力部の一方を磁石とし、他方を金属または合金等の磁性体とした構成や、あるいは両者を磁石として一方のＮ極と他方のＳ極とが吸引し合うかあるいは両者のＮ極同士またはＳ極同士が反発し合うようにした構成等がいずれも含まれる。またこのため、「駆動磁力部と可動磁力部との間に働く磁力により第２回動部材が第１回動部材の回動に連動する」とは、駆動磁力部と可動磁力部とが磁力により吸引し合うことにより連動する場合と磁力により反発し合うことにより連動する場合とのいずれも含意する。
また、「第２回動部材の回動が第１回動部材の回動に連動する」とは、第２回動部材の回動が第１回動部材の回動に遅れて追従するようにして連動することを意味する。
また、第２回動部材における「外周寄りの位置」とは、第２回動部材の回動中心と外周との間の中間の位置よりも外周寄りの位置、即ち第２回動部材の回動中心から、該第２回動部材が回動するときの軌道における最大の半径の１／２より大きい距離をおいた位置のことである。
【０１７９】
上記手段２の構成によれば、駆動磁力部と可動磁力部との間に磁力が働くことで、第１回動部材の回動に連動して第２回動部材が回動する、即ち第１回動部材の回動により第２回動部材が駆動されて回動するが、このとき、第２回動部材が外周寄りの位置で抵抗部材に摺動自在に接していることにより、該抵抗部材との間に比較的に大きな抵抗力を生じ、この抵抗力によって、第１回動部材の回動に対して第２回動部材がスムーズに連動せずにズレないし遅れを生じて変則的に連動するようになる。即ち、例えば仮に第２回動部材が内周寄りの位置で抵抗部材に摺動自在に接していると、第２回動部材と抵抗部材との間に働く摩擦力は大きな抵抗力とはならないが、第２回動部材が外周寄りの位置で抵抗部材に摺動自在に接していると、これらの間に働く摩擦力が比較的に大きな抵抗力となり、この抵抗力が第２回動部材のズレないし遅れを生じることとなる。これにより、第１回動部材が一定速度で規則的に回動したとしても、可動部の動作はこれに対し多少ともずれた変則的なものとなる。
また、上記のように連動しながら第１回動部材および第２回動部材が回動する途上で、摩擦力により生じる抵抗力と、駆動磁力部と可動磁力部との間に働く磁力との大小関係は一定ではなく常に変動するから、これにともない第２回動部材のズレないし遅れの量も変動し、これにより可動部の動作が変則化されることとなる。
またこのとき、抵抗部材と第２回動部材との材質の組み合わせとして、特に摩擦を生じ得るような組み合わせとする必要がないので、簡潔な材質・構造により変則動作手段を構成して駆動部から可動部への動力伝達を変則化することができる。
【０１８０】
また、本発明にかかる遊技機は、手段３として、手段１の遊技機において、
前記駆動部が、回動自在に設けられた第１回動部材を有し、該第１回動部材の所定位置に駆動磁力部が設けられ、
前記可動部が、回動自在に設けられた第２回動部材を有し、該第２回動部材の所定位置に可動磁力部が設けられ、
前記駆動磁力部と前記可動磁力部との間に働く磁力により前記第２回動部材が前記第１回動部材の回動に連動して回動する程度に前記第１回動部材と第２回動部材とが近接して配置され、
前記変則動作手段が、前記第１回動部材の回動に対して前記第２回動部材が遅れて回動する位置で該第２回動部材に摺動自在に接する抵抗部材であることを特徴とする。
【０１８１】
上記手段３の構成によれば、抵抗部材により第１回動部材の回動に対して第２回動部材が遅れて回動することで、可動部の動作が駆動部の動作に対し多少ともずれた変則的なものとなる。
【０１８２】
また、本発明にかかる遊技機は、手段４として、手段１の遊技機において、
前記駆動部が、回動自在に設けられた第１回動部材を有し、該第１回動部材の所定位置に駆動磁力部が設けられ、
前記可動部が、回動自在に設けられた第２回動部材を有し、該第２回動部材の所定位置に可動磁力部が設けられ、
前記駆動磁力部と前記可動磁力部との間に働く磁力により前記第２回動部材が前記第１回動部材の回動に連動して回動する程度に前記第１回動部材と第２回動部材とが近接して配置され、
前記変則動作手段が、第２回動部材に内周側から摺動自在に接する抵抗部材であることを特徴とする。
【０１８３】
上記手段４の構成によれば、抵抗部材が第２回動部材に内周側から摺動自在に接することで抵抗力が効果的に作用し、これにより可動部の動作が駆動部の動作に対し多少ともずれた変則的なものとなる。
【０１８４】
また、本発明にかかる遊技機は、手段５として、手段２から手段４のいずれかの遊技機において、
前記駆動磁力部と前記可動磁力部との間に働く磁力を調整する磁力調整手段を備えることを特徴とする。
【０１８５】
本発明において、「磁力調整手段」には、駆動磁力部と可動磁力部との相対位置を調整することにより磁力を調整するものと、駆動磁力部および可動磁力部の少なくとも一方を電磁石により構成して該電磁石に通電する電流を調整することにより磁力を調整するものとのいずれも含意する。
【０１８６】
上記手段５の構成によれば、磁力調整手段で磁力を調整することにより、第１回動部材から第２回動部材へ伝達される動力の強弱を調整することができ、したがって第２回動部材の連動のズレないし遅れの程度も調整することができる。
また、駆動磁力部と可動磁力部との間に働く磁力を急激に減少させたり増大させるようにして第１回動部材から第２回動部材への動力伝達を断絶したり開始したりするといったように、動作をより多様化することもできる。
【０１８７】
また、本発明にかかる遊技機は、手段６として、手段２から手段５のいずれかの遊技機において、
前記抵抗部材が、前記第２回動部材と接する位置により異なる抵抗力を生じるものであることを特徴とする。
【０１８８】
上記手段６の構成によれば、第２回動部材が回動する途上で抵抗部材から受ける抵抗力が位置により異なることとなり、これにより第２回動部材の回動がさらに変則的となる。
【０１８９】
また、本発明にかかる遊技機は、手段７として、手段１から手段６のいずれかの遊技機において、
前記可動部が、駆動部からの動力を変則動作手段を介して入力する入力部と、可撓性を有する連結部と、遊動体とをこの順に連結してなる構成を備えることを特徴とする。
【０１９０】
本発明において、「可撓性を有する連結部」には、可撓性を有するように構成されたものであれば任意のものを含意し、例えば、糸、紐、ワイヤ等の線材、テープ、チェーン等で構成されたものがいずれも含まれる。
また、入力部、連結部および遊動体としては、これらがそれぞれ別体として構成されたものと、これらのうちの連続する二者（即ち、入力部と連結部、または連結部と遊動体）あるいは三者（即ち入力部、連結部および遊動体の全て）が一体に構成されたものとのいずれも含む。
【０１９１】
上記手段７の構成によれば、駆動部からの動力が連結部を介し遊動体に伝達されて該遊動体が動作するが、このとき、連結部が可撓性を有することにより、遊動体が揺動したり慣性により余剰の動きを生じたりすることとなってその動作がさらに変則的となる（即ち、可動部の変則動作が増幅される）。
【０１９２】
また、本発明にかかる遊技機は、手段８として、手段７の遊技機において、
前記遊動体が、液体に浮遊した状態に保持され、前記連結部材により沈下する方向に引っ張られることにより動作することを特徴とする。
【０１９３】
本発明において、「液体に浮遊する」とは、液面上に浮きながら静止ないし揺動する状態と、液中に浸漬されながら静止ないし揺動する状態とをいずれも含意する。
【０１９４】
上記手段８の構成によれば、遊動体を連結部材により沈下する方向に引っ張るように動力を伝達すると、遊動体には常に浮力が作用しているから、この引っ張る動力と浮力とが互いに引き合うように遊動体に作用し、なおかつ、この動力は一様に伝達されるのではなく前記変則動作手段により変則化されているから、該遊動体が変則的に上下動するような動きも可能となり、これにより動作をさらに複雑化することができる。
また、遊動体を沈下した後に浮力を利用して元の位置に復帰させることができ、これにより該遊動体が液中を浮揚する動作も表現することができる。
さらにまた、遊動体が液体に浮遊した状態に保持されることで、該液体が緩衝体となって遊動体が衝撃から防護され、これにより遊動体の損傷が防止されるという利点も得られる。
【０１９５】
また、本発明にかかる遊技機は、手段９として、手段８の遊技機において、
前記液体の境界面が遊技者から視認可能となっていることを特徴とする。
【０１９６】
本発明において、「液体の境界面」とは、液体が上方の空間ないし下方の底部と接する境界面だけでなく、異なる２種類の液体の間に形成される境界面も含意する。
【０１９７】
上記手段９の構成によれば、遊動体の動作にともない液体が揺動して境界面に波紋が生じることで、該遊動体の僅かな動きも示唆されたり該遊動体の動きが強調されたりすることとなり、これにより該遊動体の動きが視覚的にさらにわかりやすくなる。
【０１９８】
また、本発明にかかる遊技機は、手段１０として、手段８または手段９の遊技機において、
前記遊動体の全体が液体中に浸漬した状態に保持されることを特徴とする。
【０１９９】
上記手段１０の構成によれば、遊動体の全体が衝撃から防護され、これにより遊動体の損傷がさらに確実に防止される。
【０２００】
また、本発明にかかる遊技機は、手段１１として、手段１０の遊技機において、
互いに異なる２種類の液体が上下に分離した状態で重なって配置され、上下の液体の境界面に交わるようにして前記遊動体が浮遊した状態に保持されていることを特徴とする。
【０２０１】
上記手段１１の構成によれば、遊動体の動きにともなって上下の液体の境界面も揺動するが、例えば液体が上方の空間と接する境界面（液面）の場合に比して、上下に重なる液体の境界面の場合にはこの境界面の動きがより緩慢となり、したがってこれにより遊動体の動きが視覚的にさらにわかりやすくなる。
【０２０２】
また、本発明にかかる遊技機は、手段１２として、手段８から手段１１のいずれかの遊技機において、
前記液体が接触し得る部位に、該液体の液面に浮遊または底に沈殿する材料よりなる塗料が塗布され、
前記液体の液面および底を少なくとも前方から覆う不透明部と、該液体の液面と底との間において前記可動部の動作の少なくとも一部を遊技者から視認可能とする透明部とを備える容器に前記液体が収容されていることを特徴とする。
【０２０３】
液体が収容される容器の内面や可動部の少なくとも一部等のような、液体が接触し得る部位に、例えば着色、表面保護等の目的で塗料が塗布されていると、特に可動部の動作をともなう可動装置の稼動を繰り返すうちに、この塗料が剥離してゴミとなり、液中に漂って可動装置の美観を損ないやすいという問題がある。そこで、上記手段１２の構成によれば、塗料が剥離してゴミとなっても、このゴミは液体の液面に浮遊または底に沈殿し、容器の不透明部により少なくとも前方から覆われて遊技者から隠蔽されるため、可動装置の美観をゴミにより損なわれることなく良好に維持することができる。
【０２０４】
また、本発明にかかる遊技機は、手段１３として、
外部から視認し得る位置に、遊技に関連する演出を行う演出装置が設けられ、
前記演出装置が、外部から視認可能に保持された演出基材を備えるとともに、該演出基材の少なくとも一部を水平方向または垂直方向の指標とする傾斜度確認機構を備えることを特徴とする。
【０２０５】
本発明において、「演出装置」には、モータ、ソレノイド等により駆動される動作機構を備えるものと備えないものとがいずれも含まれる。
【０２０６】
上記手段１３の構成によれば、傾斜度確認機構を備える演出装置が遊技機に設けられているので、水準器等の器具を用いる必要もなく、したがって遊技機を容易かつ正確に所定の設置角度に合わせて設置することができ、特に、遊技機の設置角度を合わせた後も、任意の時点で容易に遊技機の角度を確認することができるのであり、この角度にズレが生じていた場合にも、再び水準器等の器具を用意することもなく容易に遊技機の設置角度を合わせ直すことができる。
【０２０７】
しかもこのとき、傾斜度確認機構が、傾斜度を確認するための部品ないし部材を別個に遊技機に配設するのではなく、演出装置における演出基材の少なくとも一部を水平方向または垂直方向の指標とすることによって構成されているので、この傾斜度確認機構自体が遊技機の部品点数を増大させることもない。
【０２０８】
換言すれば、演出装置が、演出効果を奏する演出装置としての本来の機能のみならず、遊技機を所定の設置角度に合わせるための傾斜度確認手段としての機能も併せて備えることとなっており、したがってそのぶん、演出装置とは別に傾斜度確認手段を設ける場合に比して、遊技機の部品点数が少なくて済むこととなる。
【０２０９】
また、本発明にかかる遊技機は、手段１４として、手段１３の遊技機において、
前記演出基材が液体よりなることを特徴とする。
【０２１０】
上記手段１４の構成によれば、液体よりなる演出基材の流動的な動きにより良好な演出効果が得られるとともに、該演出基材の少なくとも一部を水平方向または垂直方向の指標とすることにより遊技機を容易かつ正確に所定の設置角度に合わせて設置することができ、演出装置および傾斜度確認機構の構成も複雑化されることなく簡略なものとすることができる。即ち、演出基材を液体よりなるものとする簡略な構成により、良好な演出効果を奏する演出装置を構成することができるとともに、遊技機の設置作業を容易かつ正確に行うことが可能な傾斜度確認機構を構成することができる。
【０２１１】
さらに付言すれば、従来、遊技機に配置される演出装置としては、遊技内容に関連するキャラクタ等の各種の造形物を設け、これにより演出効果を高めるようにしたものがあり、さらに、このような造形物を可動に構成し、モータやソレノイドで駆動して動作させ、これによりさらに演出効果を高めることもなされているが、このような演出装置においては、より高い演出効果を得るために造形物の意匠や動作がより複雑なものとされ、これにともない演出装置の構成が複雑化することともなっている。このため、演出装置において、良好な演出効果を確保しながら、なおかつ構成を簡素化することが要望されている。
【０２１２】
そこで、上記手段１４の構成によれば、演出装置を構成する演出基材を液体よりなるものとする簡略な構成により、上述のような演出装置に対する要望をも満足することができる。
【０２１３】
また、本発明にかかる遊技機は、手段１５として、手段１４の遊技機において、
前記演出基材の界面がくる高さ位置に、所定の角度を示す目盛が配設され、
前記傾斜度確認機構が、前記演出基材の界面を水平方向の指標とし、該界面と前記目盛とを合致させることにより遊技機の設置角度を所定の設置角度に合わせるように構成されていることを特徴とする。
【０２１４】
本発明において、「演出基材の界面」とは、演出基材が上方の空間と接する界面の他、演出基材が複数種類の異なる液体よりなる場合にこれら液体の間に形成される境界面も含意する。
【０２１５】
上記手段１５の構成によれば、液体よりなる演出基材を備える演出装置に目盛を配設するという簡略な構成により、遊技機の設置角度を容易かつ正確に所定の設置角度に合わせることができる。
【０２１６】
また、本発明にかかる遊技機は、手段１６として、手段１５の遊技機において、
前記目盛が、複数の角度を示すものであることを特徴とする。
【０２１７】
上記手段１６の構成によれば、遊技機の設置角度を別の角度に変更したり、遊技機の傾斜を計測したりすることもできる。
【０２１８】
また、本発明にかかる遊技機は、手段１７として、手段１４の遊技機において、
前記演出基材が、上端に気泡を残して液槽内に液体を充満させるようにして構成され、
前記液槽の上端部に、所定の角度位置を示す目盛が配設され、
前記傾斜度確認機構が、前記気泡を垂直方向の指標とし、該気泡と前記目盛とを合致させることにより遊技機の設置角度を所定の設置角度に合わせるように構成されていることを特徴とする。
【０２１９】
上記手段１７の構成によれば、液体よりなる演出基材を備える演出装置に気泡および目盛を配設するという簡略な構成により、遊技機の設置角度を容易かつ正確に所定の設置角度に合わせることができる。
【０２２０】
またこの場合、傾斜度確認機構の要部を構成する気泡および目盛が液槽の上端部に配置されるので、例えば遊技機の開閉部材を閉じ状態では気泡および目盛が隠蔽されて外部から視認し難くなるような位置に演出装置を配置したり、あるいは液槽の上端部における前面に装飾板を配置したりすること等によって、これら気泡および目盛が演出装置の外観に影響しないようにすることができる。
【０２２１】
また、本発明にかかる遊技機は、手段１８として、手段１７の遊技機において、
前記目盛が、複数の角度位置を示すものであることを特徴とする。
【０２２２】
上記手段１８の構成によれば、遊技機の設置角度を別の角度に変更したり、遊技機の傾斜を計測したりすることもできる。
【０２２３】
また、本発明にかかる遊技機は、手段１９として、手段１から手段１８のいずれかの遊技機において、
遊技機がパチンコ機であることを特徴とする。
【０２２４】
パチンコ機の基本構成としては、操作ハンドルを備え、その操作ハンドルの操作に応じて有価物体の一例である球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞装置（特定入賞口）が所定の態様で開放されて球を入賞可能とし、その入賞個数に応じた有価価値（景品球のみならず、磁気カード書き込まれるデータ等も含む）が付与されるものが挙げられる。
【０２２５】
パチンコ機にあっては、駆動部と可動部との間に変則動作手段が介在することにより、駆動部から可動部へ動力が変則化されて伝達され、該可動部が駆動部の動作に変則的に連動するので、可動装置において、複雑な制御を必要とすることなく、複雑な動作を表現することができるようにしたパチンコ機が得られる。
【０２２６】
また、本発明にかかる遊技機は、手段２０として、手段１から手段１２のいずれかの遊技機において、
遊技機がスロット機であることを特徴とする。
【０２２７】
スロット機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。
この場合、有価物体はコイン、メダル等が代表例として挙げられる。
【０２２８】
スロット機にあっては、駆動部と可動部との間に変則動作手段が介在することにより、駆動部から可動部へ動力が変則化されて伝達され、該可動部が駆動部の動作に変則的に連動するので、可動装置において、複雑な制御を必要とすることなく、複雑な動作を表現することができるようにしたスロット機が得られる。
【０２２９】
また、本発明にかかる遊技機は、手段２１として、手段１から手段１２のいずれかの遊技機において、
遊技機がパチンコ機とスロット機を融合させた遊技機であることを特徴とする。
【０２３０】
パチンコ機とスロット機を融合させた遊技機の基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、有価物体として球を使用するとともに、前記識別情報の動的表示の開始に際しては所定数の球を必要とし、特別遊技状態の発生に際しては多くの球が払い出されるように構成されている遊技機」となる。
【０２３１】
パチンコ機とスロット機を融合させた遊技機にあっては、駆動部と可動部との間に変則動作手段が介在することにより、駆動部から可動部へ動力が変則化されて伝達され、該可動部が駆動部の動作に変則的に連動するので、可動装置において、複雑な制御を必要とすることなく、複雑な動作を表現することができるようにした、パチンコ機とスロット機を融合させた遊技機が得られる。
【産業上の利用可能性】
【０２３２】
本発明は、パチンコ機やスロットマシン等の遊技機であれば広汎に実施することが可能である。
【符号の説明】
【０２３３】
６３５：目盛
６３６：ウキ動作ユニット（演出装置）
６３７：液槽
６３８Ｃ：上層液（演出基材）
６３８Ｂ：下層液（演出基材）
６３８Ｍ：境界面（水平方向の指標）
【図１】
2010284419.tif 000003
【図２】
2010284419.tif 000004
【図３】
2010284419.tif 000005
【図４】
2010284419.tif 000006
【図５】
2010284419.tif 000007
【図６】
2010284419.tif 000008
【図７】
2010284419.tif 000009
【図８】
2010284419.tif 000010
【図９】
2010284419.tif 000011
【図１０】
2010284419.tif 000012
【図１１】
2010284419.tif 000013
【図１２】
2010284419.tif 000014
【図１３】
2010284419.tif 000015
【図１４】
2010284419.tif 000016
【図１５】
2010284419.tif 000017
【図１６】
2010284419.tif 000018
【図１７】
2010284419.tif 000019
【図１８】
2010284419.tif 000020
【図１９】
2010284419.tif 000021
【図２０】
2010284419.tif 000022
【図２１】
2010284419.tif 000023
【図２２】
2010284419.tif 000024
【図２３】
2010284419.tif 000025
【図２４】
2010284419.tif 000026
【図２５】
2010284419.tif 000027
【図２６】
2010284419.tif 000028
【図２７】
2010284419.tif 000029
【図２８】
2010284419.tif 000030
【図２９】
2010284419.tif 000031